(57)【要約】  システム１００は、コンテンツ識別情報を含むコンテンツマーカ情報と、コンテンツマーカ情報を共有するユーザを特定するための個別共有ユーザ特定情報と、を含む登録要求を受け付ける。システムは、登録要求に含まれるコンテンツマーカ情報と個別共有ユーザ特定情報とを対応付けて記憶装置に記憶させる。システムは、記憶されているコンテンツマーカ情報を共有するユーザを特定するための情報の基本値である全体共有ユーザ特定情報を受け付ける。システムは、受け付けた出力要求に含まれるユーザ識別情報と全体共有ユーザ特定情報と個別共有ユーザ特定情報とに基づいて当該ユーザ識別情報に応じたコンテンツマーカ情報を抽出し、当該抽出したコンテンツマーカ情報を出力する。
2011092786.tif 000002
【特許請求の範囲】
【請求項１】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を備えるコンテンツ配信システム。
【請求項２】
請求項１に記載のコンテンツ配信システムであって、
アプリケーションサーバシステムと接続制御システムとを含み、
前記接続制御システムは、ユーザ端末により送信された端末特定情報を受信し当該受信した端末特定情報に基づいて前記アプリケーションサーバシステムと当該ユーザ端末との間の接続を確立するように構成され、
前記アプリケーションサーバシステムは、前記接続制御システムにより接続が確立された前記ユーザ端末へ、コンテンツを表すコンテンツデータを送信するように構成されたコンテンツ配信システム。
【請求項３】
請求項２に記載のコンテンツ配信システムであって、
前記アプリケーションサーバシステムは、前記ユーザ端末により送信され且つ前記コンテンツマーカ情報を含むコンテンツ視聴要求を受信し、当該受信したコンテンツ視聴要求に含まれるコンテンツマーカ情報により識別されるコンテンツを表すコンテンツデータを、当該ユーザ端末へ送信するように構成されたコンテンツ配信システム。
【請求項４】
請求項２又は請求項３に記載のコンテンツ配信システムであって、
前記接続制御システムは、前記ユーザ端末により送信され且つ当該ユーザ端末のユーザにより入力されたユーザ認証用情報を受信するように構成され、
前記コンテンツ配信システムは、
ユーザ認証用基準情報を予め記憶するユーザ認証用基準情報記憶手段と、
前記接続制御システムにより受信されたユーザ認証用情報と、前記ユーザ認証用基準情報記憶手段により記憶されているユーザ認証用基準情報と、が対応しているか否かを判定することにより、そのユーザ認証用情報を入力した前記ユーザが正当なユーザであるか否かを認証するユーザ認証手段と、を備え、
前記コンテンツマーカ出力要求受付手段は、前記ユーザ認証手段により正当なユーザであると認証されたユーザを識別するためのユーザ識別情報を含む前記コンテンツマーカ出力要求を受け付けるように構成されたコンテンツ配信システム。
【請求項５】
請求項１乃至請求項４のいずれか一項に記載のコンテンツ配信システムであって、
前記受け付けられた全体共有ユーザ特定情報と、当該全体共有ユーザ特定情報を送信してきたユーザ端末のユーザを識別するためのユーザ識別情報と、を対応付けて前記記憶装置に記憶させる処理を行う全体共有ユーザ特定情報記憶処理手段を備え、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、を対応付けて前記記憶装置に記憶させるように構成され、
前記コンテンツマーカ出力手段は、前記コンテンツマーカ情報と対応付けて記憶されている個別共有ユーザ特定情報と、当該コンテンツマーカ情報と対応付けて記憶されているユーザ識別情報と対応付けて記憶されている全体共有ユーザ特定情報と、前記受け付けられたコンテンツマーカ出力要求に含まれるユーザ識別情報と、に基づいて、当該コンテンツマーカ情報を当該ユーザ識別情報に応じたコンテンツマーカ情報として抽出するか否かを決定するように構成されたコンテンツ配信システム。
【請求項６】
請求項１乃至請求項５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報と、コンテンツマーカ情報の共有を禁止するユーザを識別するための共有禁止ユーザ識別情報と、を含み、
前記コンテンツマーカ出力手段は、前記個別共有ユーザ特定情報に含まれる共有許可ユーザ識別情報、及び、前記全体共有ユーザ特定情報に含まれる共有許可ユーザ識別情報、の少なくとも一方が、前記受け付けられたコンテンツマーカ出力要求に含まれるユーザ識別情報を含むという第１の条件と、当該個別共有ユーザ特定情報に含まれる共有禁止ユーザ識別情報が、当該コンテンツマーカ出力要求に含まれるユーザ識別情報を含まないという第２の条件と、の両方が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【請求項７】
請求項１乃至請求項５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を禁止するユーザを識別するための共有禁止ユーザ識別情報を含み、
前記コンテンツマーカ出力手段は、前記全体共有ユーザ特定情報に含まれる共有許可ユーザ識別情報が、前記受け付けられたコンテンツマーカ出力要求に含まれるユーザ識別情報を含むという第１の条件と、前記個別共有ユーザ特定情報に含まれる共有禁止ユーザ識別情報が、当該コンテンツマーカ出力要求に含まれるユーザ識別情報を含まないという第２の条件と、の両方が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【請求項８】
請求項７に記載のコンテンツ配信システムであって、
前記コンテンツマーカ出力手段は、前記受け付けられたコンテンツマーカ出力要求に含まれるユーザ識別情報を共有許可ユーザ識別情報として含む全体共有ユーザ特定情報と対応付けて記憶されているユーザ識別情報を特定し、当該特定したユーザ識別情報と対応付けて記憶されているコンテンツマーカ情報及び個別共有ユーザ特定情報を互いに対応付けて取得し、当該取得された個別共有ユーザ特定情報のそれぞれに対して、当該個別共有ユーザ特定情報に含まれる共有禁止ユーザ識別情報が、当該コンテンツマーカ出力要求に含まれるユーザ識別情報を含むか否かを判定し、当該個別共有ユーザ特定情報に含まれる共有禁止ユーザ識別情報が、当該コンテンツマーカ出力要求に含まれるユーザ識別情報を含むと判定した場合、当該個別共有ユーザ特定情報と、当該個別共有ユーザ特定情報に対応付けられたコンテンツマーカ情報と、を、当該取得されたコンテンツマーカ情報及び個別共有ユーザ特定情報から削除し、当該取得されたコンテンツマーカ情報のうちの、残存しているコンテンツマーカ情報を、当該ユーザ識別情報に応じたコンテンツマーカ情報として抽出するように構成されたコンテンツ配信システム。
【請求項９】
請求項６に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、コンテンツマーカ情報の共有を許可するユーザを識別するための共有許可ユーザ識別情報と、コンテンツマーカ情報の共有を禁止するユーザを識別するための共有禁止ユーザ識別情報と、を含む個別共有ユーザ更新要求を受け付けるように構成され、
前記コンテンツマーカ情報記憶処理手段は、
前記受け付けられた個別共有ユーザ更新要求に含まれる共有禁止ユーザ識別情報に含まれるユーザ識別情報が、当該個別共有ユーザ更新要求に含まれるコンテンツマーカ識別情報と対応付けて記憶されている個別共有ユーザ特定情報に含まれる共有許可ユーザ識別情報に含まれる場合、当該共有許可ユーザ識別情報から当該ユーザ識別情報を削除し、一方、当該ユーザ識別情報が当該共有許可ユーザ識別情報に含まれない場合、当該個別共有ユーザ特定情報に含まれる共有禁止ユーザ識別情報に当該ユーザ識別情報を追加するように構成され、且つ、
当該受け付けられた個別共有ユーザ更新要求に含まれる共有許可ユーザ識別情報に含まれるユーザ識別情報が、当該個別共有ユーザ更新要求に含まれるコンテンツマーカ識別情報と対応付けて記憶されている個別共有ユーザ特定情報に含まれる共有禁止ユーザ識別情報に含まれる場合、当該共有禁止ユーザ識別情報から当該ユーザ識別情報を削除し、一方、当該ユーザ識別情報が当該共有禁止ユーザ識別情報に含まれない場合、当該個別共有ユーザ特定情報に含まれる共有許可ユーザ識別情報に当該ユーザ識別情報を追加するように構成されたコンテンツ配信システム。
【請求項１０】
請求項１乃至請求項９のいずれか一項に記載のコンテンツ配信システムであって、
複数のユーザ識別情報と、当該複数のユーザ識別情報により識別される複数のユーザからなるグループを識別するためのグループ識別情報と、を対応付けて記憶するグループ情報記憶手段を備え、
前記コンテンツマーカ情報受付手段は、コンテンツマーカ情報と、当該コンテンツマーカ情報を共有する複数のユーザからなるグループを識別するための個別共有グループ識別情報と、を含むコンテンツマーカ登録要求を受け付けるように構成され、
前記コンテンツマーカ情報記憶処理手段は、前記受け付けられたコンテンツマーカ登録要求に含まれる個別共有グループ識別情報と同一のグループ識別情報と対応付けて記憶されている複数のユーザ識別情報を含む個別共有ユーザ特定情報と、当該コンテンツマーカ登録要求に含まれるコンテンツマーカ情報と、を対応付けて前記記憶装置に記憶させる処理を行うように構成されたコンテンツ配信システム。
【請求項１１】
請求項１乃至請求項１０のいずれか一項に記載のコンテンツ配信システムであって、
前記コンテンツマーカ情報記憶処理手段は、前記受け付けられたコンテンツマーカ登録要求に含まれる、コンテンツマーカ情報、及び、個別共有ユーザ特定情報と、コンテンツマーカ情報を識別するためのコンテンツマーカ識別情報と、を対応付けて前記記憶装置に記憶させるように構成され、
前記コンテンツマーカ情報記憶処理手段は、
ユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出されたコンテンツマーカ情報を識別するためのコンテンツマーカ識別情報と、当該ユーザ識別情報と、を対応付けて前記記憶装置に記憶させる処理を行うように構成され、
前記コンテンツマーカ出力手段は、前記受け付けられたコンテンツマーカ出力要求に含まれるユーザ識別情報と対応付けて記憶されているコンテンツマーカ識別情報により識別されるコンテンツマーカ情報を、当該ユーザ識別情報に応じたコンテンツマーカ情報として抽出するように構成されたコンテンツ配信システム。
【請求項１２】
請求項１乃至請求項１１のいずれか一項に記載のコンテンツ配信システムであって、
前記コンテンツマーカ出力要求受付手段は、ユーザ端末により送信された前記コンテンツマーカ出力要求を受信することにより受け付けるように構成され、
前記コンテンツマーカ出力手段により出力されたコンテンツマーカ情報を、前記コンテンツマーカ出力要求を送信してきた前記ユーザ端末へ送信するコンテンツマーカ送信手段を備えるコンテンツ配信システム。
【請求項１３】
請求項１２に記載のコンテンツ配信システムであって、
前記コンテンツマーカ送信手段は、前記ユーザ端末のユーザが正常に視聴できない可能性が高いコンテンツを識別するためのコンテンツ識別情報を含むコンテンツマーカ情報ほど、当該ユーザに選択される可能性を低くするように、当該ユーザ端末にコンテンツマーカ情報を出力させるための情報を送信するように構成されたコンテンツ配信システム。
【請求項１４】
アプリケーションサーバシステムと接続制御システムとを含み、
前記接続制御システムは、
ユーザ端末（Ｕｓｅｒ  Ｅｑｕｉｐｍｅｎｔ）により送信された端末特定情報を受信し当該受信した端末特定情報に基づいて前記アプリケーションサーバシステムと当該ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
前記アプリケーションサーバシステムは、
前記接続制御システムにより接続が確立された前記ユーザ端末へ、コンテンツを表すコンテンツデータを送信するメディア機能部（Ｍｅｄｉａ  Ｆｕｎｃｔｉｏｎｓ）と、
前記メディア機能部により提供されるサービスを制御するサービス制御機能部（Ｓｅｒｖｉｃｅ  Ｃｏｎｔｒｏｌ  Ｆｕｎｃｔｉｏｎｓ）と、
前記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備え、
更に、前記アプリケーションサーバシステムは、
前記ユーザ端末により送信された情報であって、コンテンツを識別するためのコンテンツ識別情報を含む情報であるコンテンツマーカ情報と、当該コンテンツマーカ情報を共有するユーザを特定するための個別共有ユーザ特定情報と、を含むコンテンツマーカ登録要求を、前記コアＩＭＳ部を介して受信することにより受け付けるコンテンツマーカ情報受付手段と、
前記受け付けられたコンテンツマーカ登録要求に含まれる、コンテンツマーカ情報と個別共有ユーザ特定情報とを対応付けて、前記ユーザプロファイルサーバ機能部又は前記サービス制御機能部に記憶させる処理を行うコンテンツマーカ情報記憶処理手段と、
前記ユーザ端末により送信された情報であって、前記記憶されているコンテンツマーカ情報を共有するユーザを特定するための情報の基本値としての情報である全体共有ユーザ特定情報を、前記コアＩＭＳ部を介して受信することにより受け付ける全体共有ユーザ特定情報受付手段と、
前記ユーザ端末により送信された情報であって、ユーザを識別するためのユーザ識別情報を含み且つコンテンツマーカ情報の出力を要求する情報であるコンテンツマーカ出力要求を受信することにより受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
前記出力されたコンテンツマーカ情報を、前記コンテンツマーカ出力要求を送信してきた前記ユーザ端末へ送信するコンテンツマーカ送信手段と、
を備えるコンテンツ配信システム。
【請求項１５】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付け、
前記受け付けられたコンテンツマーカ登録要求に含まれる、コンテンツマーカ情報と個別共有ユーザ特定情報とを対応付けて記憶装置に記憶させる処理を行い、
前記記憶されているコンテンツマーカ情報を共有するユーザを特定するための情報の基本値である全体共有ユーザ特定情報を受け付け、
ユーザを識別するためのユーザ識別情報を含み且つコンテンツマーカ情報の出力を要求するコンテンツマーカ出力要求を受け付け、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力する、コンテンツ配信方法。
【請求項１６】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を備えるアプリケーションサーバシステム。
【請求項１７】
アプリケーションサーバシステムに、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を実現させるためのプログラムを記録した、コンピュータが読み取り可能な記録媒体。
【請求項１８】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
前記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
前記コンテンツマーカ情報を受信し、当該受信したコンテンツマーカ情報を出力するコンテンツマーカ一覧出力手段と、
を備えるユーザ端末。
【請求項１９】
ユーザ端末に、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
前記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
前記コンテンツマーカ情報を受信し、当該受信したコンテンツマーカ情報を出力するコンテンツマーカ一覧出力手段と、
を実現させるためのプログラムを記録した、コンピュータが読み取り可能な記録媒体。
【発明の詳細な説明】
【技術分野】
【０００１】
本発明は、コンテンツを表すコンテンツデータをユーザ端末へ送信するコンテンツ配信システムに関する。
【背景技術】
【０００２】
コンテンツを表すコンテンツデータをユーザ端末へ送信するコンテンツ配信システムが知られている。この種のコンテンツ配信システムの一つとして特許文献１に記載のシステムは、ユーザ端末により送信されたコンテンツマーカ情報を受け付ける。コンテンツマーカ情報は、コンテンツを識別するためのコンテンツ識別情報を含む。【０００３】
そして、コンテンツ配信システムは、受け付けたコンテンツマーカ情報を記憶する。その後、コンテンツ配信システムは、ユーザ端末により送信されたコンテンツマーカ出力要求に応じて、記憶されているコンテンツマーカ情報をそのユーザ端末へ送信する。【０００４】
一方、ユーザ端末は、コンテンツマーカ情報を受信すると、受信したコンテンツマーカ情報の一つをユーザに選択させる。そして、ユーザ端末は、ユーザにより選択されたコンテンツマーカ情報に含まれるコンテンツ識別情報を含むコンテンツ送信要求をコンテンツ配信システムへ送信する。【０００５】
コンテンツ配信システムは、ユーザ端末により送信されたコンテンツ送信要求を受信すると、そのコンテンツ送信要求により識別されるコンテンツデータを、そのユーザ端末へ送信する。これにより、ユーザ端末のユーザは、視聴したいコンテンツを特定するために煩雑な操作を行うことなく、そのコンテンツを視聴することができる。【０００６】
更に、このコンテンツ配信システムは、コンテンツマーカ情報を共有するユーザを識別するためのユーザ識別情報を含む友達リストデータを記憶する。そして、コンテンツ配信システムは、あるユーザ端末からコンテンツマーカ出力要求を受信した場合に、他のユーザ端末から受け付けたコンテンツマーカ情報を送信するか否かを、記憶されている友達リストデータに基づいて決定する。これにより、あるユーザが登録したコンテンツマーカ情報を、当該ユーザが設定した友達リストに含まれるユーザに閲覧させることができる。
【先行技術文献】
【特許文献】
【０００７】
【特許文献１】特開２００８−１５８６６３号公報
【発明の概要】
【発明が解決しようとする課題】
【０００８】
しかしながら、上記コンテンツ配信システムにおいては、コンテンツマーカ情報毎に、当該コンテンツマーカ情報を共有するユーザを設定することができない。従って、あるユーザが登録したコンテンツマーカ情報を、コンテンツマーカ情報毎に異なるユーザと共有することができないという問題があった。【０００９】
このため、本発明の目的は、上述した課題である「あるユーザが登録したコンテンツマーカ情報を、コンテンツマーカ情報毎に異なるユーザと共有することができないこと」を解決することが可能なコンテンツ配信システムを提供することにある。
【課題を解決するための手段】
【００１０】
かかる目的を達成するため本発明の一形態であるコンテンツ配信システムは、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
上記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
上記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
上記受け付けられたコンテンツマーカ出力要求に含まれるユーザ識別情報と、上記受け付けられた全体共有ユーザ特定情報と、上記記憶されている個別共有ユーザ特定情報と、に基づいて、上記記憶されているコンテンツマーカ情報から当該ユーザ識別情報に応じたコンテンツマーカ情報を抽出し、当該抽出したコンテンツマーカ情報を出力するコンテンツマーカ出力手段と、
を備える。【００１１】
また、本発明の他の形態であるコンテンツ配信システムは、
アプリケーションサーバシステムと接続制御システムとを含み、
上記接続制御システムは、
ユーザ端末（Ｕｓｅｒ  Ｅｑｕｉｐｍｅｎｔ）により送信された端末特定情報を受信し当該受信した端末特定情報に基づいて上記アプリケーションサーバシステムと当該ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
上記アプリケーションサーバシステムは、
上記接続制御システムにより接続が確立された上記ユーザ端末へ、コンテンツを表すコンテンツデータを送信するメディア機能部（Ｍｅｄｉａ  Ｆｕｎｃｔｉｏｎｓ）と、
上記メディア機能部により提供されるサービスを制御するサービス制御機能部（Ｓｅｒｖｉｃｅ  Ｃｏｎｔｒｏｌ  Ｆｕｎｃｔｉｏｎｓ）と、
上記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備え、
更に、上記アプリケーションサーバシステムは、
上記ユーザ端末により送信された情報であって、コンテンツを識別するためのコンテンツ識別情報を含む情報であるコンテンツマーカ情報と、当該コンテンツマーカ情報を共有するユーザを特定するための個別共有ユーザ特定情報と、を含むコンテンツマーカ登録要求を、上記コアＩＭＳ部を介して受信することにより受け付けるコンテンツマーカ情報受付手段と、
上記受け付けられたコンテンツマーカ登録要求に含まれる、コンテンツマーカ情報と個別共有ユーザ特定情報とを対応付けて、上記ユーザプロファイルサーバ機能部又は上記サービス制御機能部に記憶させる処理を行うコンテンツマーカ情報記憶処理手段と、
上記ユーザ端末により送信された情報であって、上記記憶されているコンテンツマーカ情報を共有するユーザを特定するための情報の基本値としての情報である全体共有ユーザ特定情報を、上記コアＩＭＳ部を介して受信することにより受け付ける全体共有ユーザ特定情報受付手段と、
上記ユーザ端末により送信された情報であって、ユーザを識別するためのユーザ識別情報を含み且つコンテンツマーカ情報の出力を要求する情報であるコンテンツマーカ出力要求を受信することにより受け付けるコンテンツマーカ出力要求受付手段と、
上記受け付けられたコンテンツマーカ出力要求に含まれるユーザ識別情報と、上記受け付けられた全体共有ユーザ特定情報と、上記記憶されている個別共有ユーザ特定情報と、に基づいて、上記記憶されているコンテンツマーカ情報から当該ユーザ識別情報に応じたコンテンツマーカ情報を抽出し、当該抽出したコンテンツマーカ情報を出力するコンテンツマーカ出力手段と、
上記出力されたコンテンツマーカ情報を、上記コンテンツマーカ出力要求を送信してきた上記ユーザ端末へ送信するコンテンツマーカ送信手段と、
を備える。【００１２】
また、本発明の他の形態であるコンテンツ配信方法は、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付け、
上記受け付けられたコンテンツマーカ登録要求に含まれる、コンテンツマーカ情報と個別共有ユーザ特定情報とを対応付けて記憶装置に記憶させる処理を行い、
上記記憶されているコンテンツマーカ情報を共有するユーザを特定するための情報の基本値である全体共有ユーザ特定情報を受け付け、
ユーザを識別するためのユーザ識別情報を含み且つコンテンツマーカ情報の出力を要求するコンテンツマーカ出力要求を受け付け、
上記受け付けられたコンテンツマーカ出力要求に含まれるユーザ識別情報と、上記受け付けられた全体共有ユーザ特定情報と、上記記憶されている個別共有ユーザ特定情報と、に基づいて、上記記憶されているコンテンツマーカ情報から当該ユーザ識別情報に応じたコンテンツマーカ情報を抽出し、当該抽出したコンテンツマーカ情報を出力する方法である。【００１３】
また、本発明の他の形態であるアプリケーションサーバシステムは、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
上記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
上記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
上記受け付けられたコンテンツマーカ出力要求に含まれるユーザ識別情報と、上記受け付けられた全体共有ユーザ特定情報と、上記記憶されている個別共有ユーザ特定情報と、に基づいて、上記記憶されているコンテンツマーカ情報から当該ユーザ識別情報に応じたコンテンツマーカ情報を抽出し、当該抽出したコンテンツマーカ情報を出力するコンテンツマーカ出力手段と、
を備える。【００１４】
また、本発明の他の形態である記録媒体は、
アプリケーションサーバシステムに、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
上記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
上記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
上記受け付けられたコンテンツマーカ出力要求に含まれるユーザ識別情報と、上記受け付けられた全体共有ユーザ特定情報と、上記記憶されている個別共有ユーザ特定情報と、に基づいて、上記記憶されているコンテンツマーカ情報から当該ユーザ識別情報に応じたコンテンツマーカ情報を抽出し、当該抽出したコンテンツマーカ情報を出力するコンテンツマーカ出力手段と、
を実現させるためのプログラムを記録した、コンピュータが読み取り可能な記録媒体である。【００１５】
また、本発明の他の形態であるユーザ端末は、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
上記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
上記コンテンツマーカ情報を受信し、当該受信したコンテンツマーカ情報を出力するコンテンツマーカ一覧出力手段と、
を備える。【００１６】
また、本発明の他の形態である記録媒体は、
ユーザ端末に、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
上記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
上記コンテンツマーカ情報を受信し、当該受信したコンテンツマーカ情報を出力するコンテンツマーカ一覧出力手段と、
を実現させるためのプログラムを記録した、コンピュータが読み取り可能な記録媒体である。
【発明の効果】
【００１７】
本発明は、以上のように構成されることにより、コンテンツマーカ情報毎に異なるユーザとコンテンツマーカ情報を共有することができる。
【図面の簡単な説明】
【００１８】
【図１】本発明の第１実施形態に係るコンテンツ配信システムの概略構成を表す図である。
【図２】図１に示したコンテンツ配信システムの機能の概略を表すブロック図である。
【図３】図１に示したユーザ端末の機能の概略を表すブロック図である。
【図４】図１に示したコンテンツ配信システムがユーザ端末及びユーザ端末のユーザを認証する際の作動を示したシーケンス図である。
【図５】図１に示したコンテンツ配信システムがユーザ端末のユーザの入力に応じて全体共有ユーザ特定情報を登録する際の作動を示したシーケンス図である。
【図６】図１に示したユーザ端末がユーザの入力に応じてコンテンツの一覧を取得する際の作動を示したシーケンス図である。
【図７】図１に示したコンテンツ配信システムがユーザ端末のユーザの入力に応じてコンテンツマーカ情報を登録する際の作動を示したシーケンス図である。
【図８】図１に示したユーザ端末がユーザの入力に応じてコンテンツマーカ情報の一覧を取得する際の作動を示したシーケンス図である。
【図９】図１に示したコンテンツ配信システムがユーザ端末のユーザの入力に応じて個別共有ユーザ特定情報を更新する際の作動を示したシーケンス図である。
【図１０】図１に示したコンテンツ配信システムがユーザ端末のユーザの入力に応じて、コンテンツデータをユーザ端末へ送信する際の作動を示したシーケンス図である。
【図１１】第１実施形態の変形例に係るユーザ端末がユーザの入力に応じてコンテンツマーカ情報の一覧を取得する際の作動を示したシーケンス図である。
【図１２】本発明の第３実施形態に係るコンテンツ配信システムの機能の概略を表すブロック図である。
【図１３】本発明の第４実施形態に係るコンテンツ配信システムの機能の概略を表すブロック図である。
【図１４】本発明の第５実施形態に係るコンテンツ配信システムの機能の概略を表すブロック図である。
【図１５】本発明の第６実施形態に係るコンテンツ配信システムの機能の概略を表すブロック図である。
【発明を実施するための形態】
【００１９】
以下、本発明に係る、コンテンツ配信システム、コンテンツ配信方法、アプリケーションサーバシステム、ユーザ端末、及び、記録媒体、の各実施形態について図１〜図１５を参照しながら説明する。
＜第１実施形態＞
（構成）
図１に示したように、第１実施形態に係るコンテンツ配信システム１は、ビデオオンデマンド（ＶｏＤ；Ｖｉｄｅｏ  ｏｎ  Ｄｅｍａｎｄ）システムである。なお、コンテンツ配信システム１は、ＶｏＤシステム以外のＩＰＴＶ（Ｉｎｔｅｒｎｅｔ  Ｐｒｏｔｏｃｏｌ  Ｔｅｌｅｖｉｓｉｏｎ）システム（例えば、コンテンツの放送を行うＢＣ（ＢｒｏａｄＣａｓｔ）システム、又は、予め録画された放送コンテンツのユニキャスト配信を行うｎＰＶＲ（ｎｅｔｗｏｒｋ  Ｐｅｒｓｏｎａｌ  Ｖｉｄｅｏ  Ｒｅｃｏｄｅｒ）システム等）であってもよい。
【００２０】
コンテンツ配信システム１は、接続制御システム３と、アプリケーションサーバシステム４と、ポータルサーバ５と、を含む。接続制御システム３は、接続制御サーバ３ａ及び接続制御サーバ３ｂを含む複数のサーバを含む。アプリケーションサーバシステム４は、サービス制御サーバ４ａ及びメディアサーバ４ｂを含む複数のサーバを含む。
【００２１】
接続制御サーバ３ａは、ＩＰ（Ｉｎｔｅｒｎｅｔ  Ｐｒｏｔｏｃｏｌ）網を構成するユーザ側通信回線ＮＷ１を介して、ユーザ端末（ＵＥ；Ｕｓｅｒ  Ｅｑｕｉｐｍｅｎｔ）２ａ，２ｂと通信可能に接続されている。接続制御サーバ３ｂ、アプリケーションサーバシステム４及びポータルサーバ５は、上記ＩＰ網を構成するサービス提供者側通信回線ＮＷ２を介して、互いに通信可能に接続されている。
【００２２】
ユーザ端末２ａは、図示しないセットトップボックス及びリモートコントローラを備える。セットトップボックスは、図示しないテレビ受像機に接続されている。セットトップボックスは、メディアサーバ４ｂから送信されたコンテンツ（本例では、音声及び映像からなる動画）を表すコンテンツデータを受信し、受信したコンテンツデータを変換することによりテレビ受像機に当該コンテンツを出力させる。
【００２３】
リモートコントローラは、複数のボタン（ボタン式スイッチ）を備える。リモートコントローラは、ボタンがユーザにより押し込まれた場合に、そのボタンに応じた無線信号（例えば、赤外線信号等）をセットトップボックスへ送信する。セットトップボックスは、リモートコントローラから無線信号を受信することにより、ユーザにより入力された情報を受け付ける。
【００２４】
また、ユーザ端末２ａは、端末（自端末）を特定するための情報である端末特定情報を記憶装置としてのメモリに記憶させている。
なお、ユーザ端末２ｂは、ユーザ端末２ａと同じ構成及び機能を有する。
【００２５】
接続制御サーバ３ａ、接続制御サーバ３ｂ、サービス制御サーバ４ａ、メディアサーバ４ｂ及びポータルサーバ５（サーバ３ａ〜５）のそれぞれは、図示しない中央処理装置（ＣＰＵ；Ｃｅｎｔｒａｌ  Ｐｒｏｃｅｓｓｉｎｇ  Ｕｎｉｔ）及び記憶装置（メモリ及びハードディスク駆動装置（ＨＤＤ））を備える。各サーバ３ａ〜５は、記憶装置に記憶されているプログラムをＣＰＵが実行することにより、後述する機能を実現するように構成されている。
【００２６】
接続制御サーバ３ａ及び接続制御サーバ３ｂのそれぞれは、ＳＩＰメッセージ（ＳＩＰ（Ｓｅｓｓｉｏｎ  Ｉｎｉｔｉａｔｉｏｎ  Ｐｒｏｔｏｃｏｌ）に従ったメッセージ）を授受（受信及び送信）することにより、複数の装置間の接続を制御するように構成されている。即ち、接続制御サーバ３ａ及び接続制御サーバ３ｂのそれぞれは、ＳＩＰサーバとも呼ばれる。
【００２７】
接続制御システム３は、ユーザ端末２ａ（又は、ユーザ端末２ｂ）により送信された端末特定情報を含むＳＩＰメッセージを受信すると、当該受信したＳＩＰメッセージに含まれる端末特定情報に基づいてアプリケーションサーバシステム４とユーザ端末２ａ（又は、ユーザ端末２ｂ）との間の接続（セッション）を確立するように構成されている。
【００２８】
サービス制御サーバ４ａは、メディアサーバ４ｂにより提供されるサービス（コンテンツデータを送信するサービス）を制御する。メディアサーバ４ｂは、接続制御システム３により接続が確立されたユーザ端末２ａ（又は、ユーザ端末２ｂ）へ、コンテンツを表すコンテンツデータを送信する。
【００２９】
ポータルサーバ５は、ＨＴＴＰ（Ｈｙｐｅｒｔｅｘｔ  Ｔｒａｎｓｆｅｒ  Ｐｒｏｔｏｃｏｌ）に従ったメッセージ（ＨＴＴＰメッセージ）を授受することにより、ユーザ端末２ａ（又は、ユーザ端末２ｂ）との間でデータを授受するように構成されている。即ち、ポータルサーバ５は、ウェブサーバである。
【００３０】
（機能）
図２は、上記のように構成されたコンテンツ配信システム１の機能を表すブロック図である。また、図３は、上記のように構成されたユーザ端末２ａの機能を表すブロック図である。
【００３１】
（機能：ユーザ端末）
図３に示したように、ユーザ端末２ａの機能は、要求送信部１１と、コンテンツマーカ一覧出力部（コンテンツマーカ一覧出力手段）１２と、コンテンツマーカ特定情報受付部（コンテンツマーカ特定情報受付手段）１３と、コンテンツ出力部（コンテンツ出力手段）１４と、を含む。
【００３２】
要求送信部１１は、ユーザ端末２ａの電源スイッチの状態がオン状態に設定される（電力が供給される）と、記憶している端末特定情報を含む端末認証処理要求としてのＳＩＰメッセージを接続制御サーバ３ａへ送信する。
【００３３】
また、要求送信部１１は、接続制御システム３から端末認証成功情報を含むＳＩＰメッセージを受信する。端末認証成功情報は、ＩＰ網上の位置を表す端末アドレス情報を含み、その端末アドレス情報が表す位置のユーザ端末２ａが正当な端末であることが認証された旨を表す情報である。
【００３４】
更に、要求送信部１１は、ユーザ端末２ａのユーザにより入力されたユーザ認証用情報を含むＳＩＰメッセージをユーザ認証処理要求として接続制御システム３へ送信する。本例では、ユーザ認証用情報は、ユーザ端末２ａのユーザを識別するための文字列を表すユーザ識別情報と、パスワードとしての文字列を表すパスワード情報と、からなる。なお、あるユーザが複数のユーザ端末を使用する場合に、ユーザは、１つのユーザ識別情報を用いてもよいし、ユーザ端末毎に異なるユーザ識別情報を用いてもよい。
【００３５】
また、要求送信部１１は、接続制御システム３からユーザ認証成功情報を含むＳＩＰメッセージを受信する。ユーザ認証成功情報は、ユーザ識別情報を含み、そのユーザ識別情報により識別されるユーザ（即ち、ユーザ認証用情報を入力したユーザ）が正当なユーザであることが認証された旨を表す情報である。
【００３６】
要求送信部１１は、接続制御システム３からユーザ認証成功情報を受信した場合、ユーザ端末２ａのユーザにより入力された要求送信指示に応じて、アプリケーションサーバシステムに対して処理の実行を要求する処理要求を含むＳＩＰメッセージを接続制御システム３へ送信する。処理要求は、ユーザ認証成功情報（即ち、ユーザ識別情報）を含む。
【００３７】
より具体的には、要求送信部１１は、コンテンツマーカ登録要求送信部（コンテンツマーカ情報送信手段）１１ａと、個別共有ユーザ更新要求送信部（コンテンツマーカ情報送信手段）１１ｂと、全体共有ユーザ登録要求送信部（全体共有ユーザ特定情報送信手段）１１ｃと、コンテンツマーカ出力要求送信部（コンテンツマーカ出力要求送信手段）１１ｄと、コンテンツ送信要求送信部（コンテンツ送信要求送信手段）１１ｅと、を含む。
【００３８】
コンテンツマーカ登録要求送信部１１ａは、処理要求としての後述するコンテンツマーカ登録要求を送信する。個別共有ユーザ更新要求送信部１１ｂは、処理要求としての後述する個別共有ユーザ更新要求を送信する。全体共有ユーザ登録要求送信部１１ｃは、処理要求としての後述する全体共有ユーザ特定情報登録要求を送信する。コンテンツマーカ出力要求送信部１１ｄは、処理要求としての後述するコンテンツマーカ出力要求を送信する。コンテンツ送信要求送信部１１ｅは、処理要求としての後述するコンテンツ送信要求を送信する。
【００３９】
コンテンツマーカ一覧出力部１２は、コンテンツマーカ情報を受信する。ここで、コンテンツマーカ情報は、コンテンツを識別するためのコンテンツ識別情報と、当該コンテンツの再生を開始する位置を表す再生開始位置と、当該コンテンツの再生を終了する位置を表す再生終了位置と、を含む。コンテンツマーカ一覧出力部１２は、受信したコンテンツマーカ情報の一覧を出力する。
【００４０】
なお、コンテンツマーカ情報は、当該コンテンツマーカ情報を登録したユーザを識別するための登録ユーザ識別情報（Ｏｗｎｅｒ  Ｕｓｅｒ  ＩＤ）を含んでいてもよく、コンテンツに対するコメントを表すコメント情報（Ｕｓｅｒ  Ｃｏｍｍｅｎｔ）を含んでいてもよい。また、コンテンツマーカ情報は、再生開始位置、及び／又は、再生終了位置を含んでいなくてもよい。
【００４１】
コンテンツマーカ特定情報受付部１３は、コンテンツマーカ一覧出力部１２により出力されたコンテンツマーカ情報の一覧の中から、ユーザ端末２ａのユーザにより選択されたコンテンツマーカ情報を特定するためのコンテンツマーカ特定情報を受け付ける。
【００４２】
コンテンツ送信要求送信部１１ｅは、コンテンツマーカ特定情報受付部１３により受け付けられたコンテンツマーカ特定情報により特定されるコンテンツマーカ情報に含まれるコンテンツ識別情報を含むコンテンツ送信要求を送信する。
【００４３】
コンテンツ出力部１４は、コンテンツデータを受信し、受信したコンテンツデータが表すコンテンツを出力する（本例では、テレビ受像機に出力させる）。
【００４４】
（機能：接続制御システム）
接続制御システム３の機能は、コアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））３０及びトランスポート機能部（ＴＦ（Ｔｒａｎｓｐｏｒｔ  Ｆｕｎｃｔｉｏｎ））８０を含む。
【００４５】
コアＩＭＳ部３０は、呼接続制御部３１と、ＩＭＳ認証部（ユーザ認証手段）３２と、を含む。また、トランスポート機能部８０は、帯域確保部８１と、端末認証部８２と、を含む。
【００４６】
呼接続制御部３１は、ＳＩＰメッセージを授受（受信及び送信）することにより、複数の装置間の接続を制御する。
【００４７】
また、端末認証部８２は、接続制御サーバ３ａがユーザ端末２ａ，２ｂから端末認証処理要求を受信した場合、受信した端末認証処理要求に含まれる端末特定情報と、端末認証用基準情報と、が対応（本例では、一致）しているか否かを判定することにより、ユーザ端末２ａ，２ｂが正当な端末であるか否かを認証する（端末認証処理を行う）。
【００４８】
ここで、端末認証用基準情報は、接続制御サーバ３ａが備える記憶装置に予め記憶された情報である。なお、端末認証用基準情報は、サービス制御サーバ４ａが備える記憶装置（後述するユーザプロファイルサーバ機能部５０）に記憶されていてもよい。
【００４９】
端末認証部８２は、ユーザ端末２ａ，２ｂが正当な端末であると認証された場合、端末認証成功情報を含むＳＩＰメッセージをユーザ端末２ａ，２ｂへ送信する。
また、呼接続制御部３１は、端末認証部８２により、ユーザ端末２ａ，２ｂが正当な端末であると認証された場合、以降において、ユーザ端末２ａ，２ｂから送信されたメッセージ（処理要求等）に基づく処理（例えば、アプリケーションサーバシステム４へメッセージを転送する処理）を行う。
【００５０】
一方、呼接続制御部３１は、端末認証部８２により、ユーザ端末２ａ，２ｂが正当な端末であると認証されなかった場合、以降において、ユーザ端末２ａ，２ｂから送信されたメッセージ（処理要求等）に基づく処理を行わない。
【００５１】
更に、ＩＭＳ認証部３２は、接続制御サーバ３ａがユーザ端末２ａ，２ｂからユーザ認証処理要求を受信した場合、受信したユーザ認証処理要求に含まれるユーザ認証用情報と、ユーザ認証用基準情報と、が対応しているか否かを判定する。これにより、ＩＭＳ認証部３２は、そのユーザ認証用情報を入力したユーザ（ユーザ認証用情報に含まれるユーザ識別情報により識別されるユーザ）が正当なユーザである（ユーザ識別情報により識別されるユーザがユーザ端末２ａ，２ｂのユーザと一致する）か否かを認証する（ユーザ認証処理を行う）。
【００５２】
ここで、ユーザ認証用基準情報は、サービス制御サーバ４ａが備える記憶装置（後述するユーザプロファイルサーバ機能部５０）に予め記憶された情報である。即ち、ユーザプロファイルサーバ機能部５０は、ユーザ認証用基準情報記憶手段を構成している。
【００５３】
そして、呼接続制御部３１は、ＩＭＳ認証部３２により、ユーザ認証用情報を入力したユーザが正当なユーザであると認証された場合、ユーザ端末２ａ，２ｂへユーザ認証成功情報を含むＳＩＰメッセージを送信する。一方、呼接続制御部３１は、ＩＭＳ認証部３２により、ユーザ認証用情報を入力したユーザが正当なユーザであると認証されなかった場合、ユーザ端末２ａ，２ｂへユーザ認証成功情報を含むＳＩＰメッセージを送信しない。
【００５４】
更に、呼接続制御部３１は、サービス制御サーバ４ａから帯域確保指示を受信した場合、メディアサーバ４ｂとユーザ端末２ａ，２ｂとの間の接続を確立する。帯域確保指示は、メディアサーバ４ｂを特定するためのメディア配信特定情報と、通信帯域を表す通信帯域情報と、を含む。呼接続制御部３１は、受信した通信帯域情報と、受信したメディア配信特定情報により特定されるメディアサーバ４ｂとユーザ端末２ａ，２ｂとの間の通信経路を特定する通信経路特定情報と、をトランスポート機能部８０へ送信する。
【００５５】
帯域確保部８１は、呼接続制御部３１から通信帯域情報及び通信経路特定情報を受信し、受信した通信経路特定情報により特定される通信経路にて、受信した通信帯域情報が表す通信帯域を確保するための処理（帯域確保処理）を行う。
【００５６】
（機能：サービス制御サーバ）
一方、サービス制御サーバ４ａの機能は、サービス制御機能部（ＳＣＦ；Ｓｅｒｖｉｃｅ  Ｃｏｎｔｒｏｌ  Ｆｕｎｃｔｉｏｎｓ）４０と、ユーザプロファイルサーバ機能部（ＵＰＳＦ；Ｕｓｅｒ  Ｐｒｏｆｉｌｅ  Ｓｅｒｖｅｒ  Ｆｕｎｃｔｉｏｎｓ）５０と、を含む。
【００５７】
ユーザプロファイルサーバ機能部５０は、ユーザ端末２ａ，２ｂのユーザのプロファイル情報を記憶している。具体的には、ユーザプロファイルサーバ機能部５０は、ユーザ識別情報と対応付けて、全体共有ユーザテーブルを記憶している。なお、全体共有ユーザテーブルは、サービス制御機能部４０に記憶されていてもよい。
【００５８】
全体共有ユーザテーブルは、後述するように、サービス制御機能部４０に記憶されているコンテンツマーカ情報を共有するユーザを特定するための情報の基本値である全体共有ユーザ特定情報を含むテーブルである。全体共有ユーザ特定情報は、コンテンツマーカ情報の共有を許可するユーザを識別するための共有許可ユーザ識別情報（Ａｕｔｈｏｒｉｚｅｄ  Ｖｉｅｗ  Ｕｓｅｒ）を含む。
【００５９】
共有許可ユーザ識別情報は、１つのユーザ識別情報であってもよいし、複数のユーザ識別情報であってもよい。なお、共有許可ユーザ識別情報がユーザ識別情報を含まない（空の情報のみを含む）場合には、コンテンツマーカ情報を共有するユーザが存在しないことが表される。また、共有許可ユーザ識別情報が、予め定められた全ユーザ許可情報に設定されている場合には、コンテンツマーカ情報をすべてのユーザと共有することが表される。
【００６０】
また、サービス制御機能部４０は、情報送受信部（コンテンツマーカ送信手段）４１と、全体共有ユーザ特定情報処理部（全体共有ユーザ特定情報受付手段及び全体共有ユーザ特定情報記憶処理手段）４２と、コンテンツマーカ情報処理部（コンテンツマーカ情報受付手段及びコンテンツマーカ情報記憶処理手段）４３と、コンテンツマーカ記憶部（コンテンツマーカ情報記憶手段）４４と、コンテンツマーカ出力要求処理部（コンテンツマーカ出力要求受付手段）４５と、コンテンツマーカ出力部（コンテンツマーカ出力手段）４６と、配信要求部４７と、を含む。
【００６１】
情報送受信部４１は、コアＩＭＳ部３０を介して（コアＩＭＳ部３０を経由させて）、ユーザ端末２ａ，２ｂ又はメディアサーバ４ｂから送信された種々の情報（要求、指示及び通知等）を受信する。また、情報送受信部４１は、コアＩＭＳ部３０を介して、種々の情報をユーザ端末２ａ，２ｂ又はメディアサーバ４ｂへ送信する。なお、本例では、種々の情報は、ＳＩＰメッセージに含まれる。
【００６２】
なお、サービス制御サーバ４ａは、ユーザ端末２ａ，２ｂから、ユーザ認証成功情報を含む処理要求を受信した場合に限って、その処理要求に基づく処理を行う。即ち、アプリケーションサーバシステム４は、ＩＭＳ認証部３２により、ユーザ認証用情報を入力したユーザが正当なユーザであると認証された場合に、処理要求に基づく処理を行う、と言うことができる。
【００６３】
全体共有ユーザ特定情報処理部４２は、情報送受信部４１により受信された処理要求としての全体共有ユーザ特定情報登録要求を受け付ける。全体共有ユーザ特定情報登録要求は、全体共有ユーザ特定情報と、ユーザ端末２ａ，２ｂのユーザを識別するためのユーザ識別情報（即ち、全体共有ユーザ特定情報を送信してきたユーザ端末２ａ，２ｂのユーザを識別するためのユーザ識別情報）と、を含む。
【００６４】
そして、全体共有ユーザ特定情報処理部４２は、受け付けた全体共有ユーザ特定情報登録要求に基づいて、ユーザプロファイルサーバ機能部５０に記憶されている全体共有ユーザテーブルを更新する。
【００６５】
具体的には、全体共有ユーザ特定情報処理部４２は、受信された全体共有ユーザ特定情報登録要求に含まれるユーザ識別情報と対応付けて記憶されている全体共有ユーザテーブルに、当該全体共有ユーザ特定情報登録要求に含まれる全体共有ユーザ特定情報を追加する。即ち、全体共有ユーザ特定情報処理部４２は、全体共有ユーザ特定情報と、全体共有ユーザ特定情報を送信してきたユーザ端末２ａ，２ｂのユーザを識別するためのユーザ識別情報と、を対応付けてユーザプロファイルサーバ機能部５０に記憶させる処理を行う。
【００６６】
コンテンツマーカ記憶部４４は、ユーザ識別情報と対応付けて、コンテンツマーカテーブルを記憶している。なお、コンテンツマーカテーブルは、ユーザプロファイルサーバ機能部５０に記憶されていてもよい。
【００６７】
コンテンツマーカテーブルは、コンテンツマーカ登録情報を複数含むテーブルである。コンテンツマーカ登録情報は、コンテンツマーカ情報と、当該コンテンツマーカ情報を共有するユーザを特定するための個別共有ユーザ特定情報と、当該コンテンツマーカ情報を識別するためのコンテンツマーカ識別情報と、の組からなる。
【００６８】
本例では、個別共有ユーザ特定情報は、コンテンツマーカ情報の共有を許可するユーザを識別するための共有許可ユーザ識別情報（Ａｌｌｏｗｅｄ  Ｖｅｗ  Ｕｓｅｒ）と、コンテンツマーカ情報の共有を禁止するユーザを識別するための共有禁止ユーザ識別情報（Ｆｏｒｂｉｄｄｅｎ  Ｖｉｅｗ  Ｕｓｅｒ）と、を含む。
【００６９】
コンテンツマーカ情報処理部４３は、情報送受信部４１により受信された処理要求としてのコンテンツマーカ登録要求を受け付ける。コンテンツマーカ登録要求は、個別共有ユーザ特定情報と、コンテンツマーカ情報と、ユーザ端末２ａ，２ｂのユーザを識別するためのユーザ識別情報と、を含む。
【００７０】
コンテンツマーカ情報処理部４３は、受け付けたコンテンツマーカ登録要求に基づいて、コンテンツマーカ記憶部４４に記憶されているコンテンツマーカテーブルを更新する。
具体的には、コンテンツマーカ情報処理部４３は、情報送受信部４１によりコンテンツマーカ登録要求が受信されると、コンテンツマーカ情報を識別するためのコンテンツマーカ識別情報を生成する。
【００７１】
そして、コンテンツマーカ情報処理部４３は、受信されたコンテンツマーカ登録要求に含まれるユーザ識別情報と対応付けて記憶されているコンテンツマーカテーブルに、当該コンテンツマーカ登録要求に含まれるコンテンツマーカ情報及び個別共有ユーザ特定情報と、生成したコンテンツマーカ識別情報と、の組からなるコンテンツマーカ登録情報を追加する。
【００７２】
即ち、コンテンツマーカ情報処理部４３は、コンテンツマーカ登録要求に含まれる、コンテンツマーカ情報、個別共有ユーザ特定情報、及び、ユーザ識別情報（即ち、当該コンテンツマーカ登録要求を送信してきたユーザ端末２ａ，２ｂのユーザを識別するためのユーザ識別情報）と、コンテンツマーカ識別情報と、を対応付けてコンテンツマーカ記憶部４４に記憶させる処理を行う。
【００７３】
また、コンテンツマーカ出力要求処理部４５は、情報送受信部４１により受信された処理要求としてのコンテンツマーカ出力要求を受け付ける。コンテンツマーカ出力要求は、ユーザ識別情報を含み且つコンテンツマーカ情報の出力を要求する情報である。
【００７４】
また、コンテンツマーカ出力部４６は、コンテンツマーカ出力要求処理部４５により受け付けられたコンテンツマーカ出力要求に含まれるユーザ識別情報と対応付けて記憶されているコンテンツマーカテーブルを特定する。コンテンツマーカ出力部４６は、特定したコンテンツマーカテーブルに含まれるコンテンツマーカ情報を抽出する。即ち、コンテンツマーカ出力部４６は、受け付けられたコンテンツマーカ出力要求に含まれるユーザ識別情報と対応付けて記憶されているコンテンツマーカ情報を抽出する。
【００７５】
更に、コンテンツマーカ出力部４６は、コンテンツマーカ記憶部４４に記憶されているすべてのコンテンツマーカ情報の中から、第１の抽出条件（第１の条件）と第２の抽出条件（第２の条件）との両方が成立するコンテンツマーカ情報を抽出する。
【００７６】
第１の抽出条件は、個別共有ユーザ特定情報に含まれる共有許可ユーザ識別情報、及び、全体共有ユーザ特定情報に含まれる共有許可ユーザ識別情報、の少なくとも一方が、受け付けられたコンテンツマーカ出力要求に含まれるユーザ識別情報を含む、という条件である。
【００７７】
第２の抽出条件は、個別共有ユーザ特定情報に含まれる共有禁止ユーザ識別情報が、受け付けられたコンテンツマーカ出力要求に含まれるユーザ識別情報を含まない、という条件である。
【００７８】
この機能について、下記の（１）〜（４）のすべての条件が成立している場合を想定して具体的に説明する。
（１）ユーザ識別情報ＵＩＤＡと対応付けて記憶されている全体共有ユーザ特定情報に含まれる共有許可ユーザ識別情報が、ユーザ識別情報ＵＩＤＢ及びユーザ識別情報ＵＩＤＣを含む。
（２）ユーザ識別情報ＵＩＤＡと対応付けて記憶されているコンテンツマーカ情報ＣＭ１と対応付けられた個別共有ユーザ特定情報に含まれる共有許可ユーザ識別情報及び共有禁止ユーザ識別情報の両方が空の情報である。
（３）ユーザ識別情報ＵＩＤＡと対応付けて記憶されているコンテンツマーカ情報ＣＭ２と対応付けられた個別共有ユーザ特定情報に含まれる共有許可ユーザ識別情報がユーザ識別情報ＵＩＤＤを含み、且つ、当該個別共有ユーザ特定情報に含まれる共有禁止ユーザ識別情報が空の情報である。
（４）ユーザ識別情報ＵＩＤＡと対応付けて記憶されているコンテンツマーカ情報ＣＭ３と対応付けられた個別共有ユーザ特定情報に含まれる共有禁止ユーザ識別情報がユーザ識別情報ＵＩＤＣを含み、且つ、当該個別共有ユーザ特定情報に含まれる共有許可ユーザ識別情報が空の情報である。
【００７９】
この場合において、ユーザ識別情報ＵＩＤＢを含むコンテンツマーカ出力要求が受け付けられたとき、コンテンツマーカ出力部４６は、コンテンツマーカ情報ＣＭ１、コンテンツマーカ情報ＣＭ２、及び、コンテンツマーカ情報ＣＭ３を抽出する。
また、ユーザ識別情報ＵＩＤＣを含むコンテンツマーカ出力要求が受け付けられたとき、コンテンツマーカ出力部４６は、コンテンツマーカ情報ＣＭ１、及び、コンテンツマーカ情報ＣＭ２を抽出する。
また、ユーザ識別情報ＵＩＤＤを含むコンテンツマーカ出力要求が受け付けられたとき、コンテンツマーカ出力部４６は、コンテンツマーカ情報ＣＭ２を抽出する。
【００８０】
このようにして、コンテンツマーカ出力部４６は、コンテンツマーカ記憶部４４に記憶されているすべてのコンテンツマーカ情報の中から、第１の抽出条件と第２の抽出条件との両方が成立するコンテンツマーカ情報を抽出する。
そして、コンテンツマーカ出力部４６は、抽出したコンテンツマーカ情報を出力する。
【００８１】
即ち、コンテンツマーカ出力部４６は、コンテンツマーカ情報と対応付けて記憶されている個別共有ユーザ特定情報と、当該コンテンツマーカ情報と対応付けて記憶されているユーザ識別情報と対応付けて記憶されている全体共有ユーザ特定情報と、受け付けられたコンテンツマーカ出力要求に含まれるユーザ識別情報と、に基づいて、当該コンテンツマーカ情報を当該ユーザ識別情報に応じたコンテンツマーカ情報として抽出するか否かを決定している、と言うことができる。
【００８２】
そして、情報送受信部４１は、コンテンツマーカ出力部４６により出力されたコンテンツマーカ情報を、上記コンテンツマーカ出力要求を送信してきたユーザ端末２ａ，２ｂへ送信する。
【００８３】
また、コンテンツマーカ情報処理部４３は、情報送受信部４１により受信された処理要求としての個別共有ユーザ更新要求を受け付ける。個別共有ユーザ更新要求は、コンテンツマーカ識別情報と、コンテンツマーカ情報の共有を許可するユーザを識別するための共有許可ユーザ識別情報と、コンテンツマーカ情報の共有を禁止するユーザを識別するための共有禁止ユーザ識別情報と、を含む。
【００８４】
コンテンツマーカ情報処理部４３は、受け付けた個別共有ユーザ更新要求に基づいて、コンテンツマーカ記憶部４４に記憶されているコンテンツマーカテーブルを更新する。
具体的には、コンテンツマーカ情報処理部４３は、情報送受信部４１により個別共有ユーザ更新要求が受信されると、当該個別共有ユーザ更新要求に含まれるコンテンツマーカ識別情報と対応付けて記憶されている個別共有ユーザ特定情報を特定する。
【００８５】
コンテンツマーカ情報処理部４３は、当該個別共有ユーザ更新要求に含まれる共有禁止ユーザ識別情報に含まれるユーザ識別情報が、特定した個別共有ユーザ特定情報に含まれる共有許可ユーザ識別情報に含まれる場合、当該共有許可ユーザ識別情報から当該ユーザ識別情報を削除する。
【００８６】
一方、コンテンツマーカ情報処理部４３は、当該個別共有ユーザ更新要求に含まれる共有禁止ユーザ識別情報に含まれるユーザ識別情報が、特定した個別共有ユーザ特定情報に含まれる共有許可ユーザ識別情報に含まれない場合、当該個別共有ユーザ更新要求に含まれるコンテンツマーカ識別情報と対応付けて記憶されているユーザ識別情報と対応付けて記憶されている全体共有ユーザ特定情報を取得する。
【００８７】
そして、コンテンツマーカ情報処理部４３は、取得した全体共有ユーザ特定情報に含まれる共有許可ユーザ識別情報が、当該個別共有ユーザ更新要求に含まれる共有禁止ユーザ識別情報に含まれるユーザ識別情報を含むとき、当該個別共有ユーザ特定情報に含まれる共有禁止ユーザ識別情報に当該ユーザ識別情報を追加する。
【００８８】
コンテンツマーカ情報処理部４３は、当該個別共有ユーザ更新要求に含まれる共有許可ユーザ識別情報に含まれるユーザ識別情報が、特定した個別共有ユーザ特定情報に含まれる共有禁止ユーザ識別情報に含まれる場合、当該共有禁止ユーザ識別情報から当該ユーザ識別情報を削除する。一方、コンテンツマーカ情報処理部４３は、当該個別共有ユーザ更新要求に含まれる共有許可ユーザ識別情報に含まれるユーザ識別情報が、特定した個別共有ユーザ特定情報に含まれる共有禁止ユーザ識別情報に含まれない場合、当該個別共有ユーザ特定情報に含まれる共有許可ユーザ識別情報に当該ユーザ識別情報を追加する。
【００８９】
この機能について、コンテンツマーカ識別情報ＣＭＩＤ１と対応付けて記憶されている個別共有ユーザ特定情報に含まれる共有許可ユーザ識別情報がユーザ識別情報ＵＩＤＡを含み、且つ、当該個別共有ユーザ特定情報に含まれる共有禁止ユーザ識別情報がユーザ識別情報ＵＩＤＢを含む場合を想定して具体的に説明する。
【００９０】
この場合において、コンテンツマーカ識別情報ＣＭＩＤ１と、空の情報である共有許可ユーザ識別情報と、ユーザ識別情報ＵＩＤＡを含む共有禁止ユーザ識別情報と、を含む個別共有ユーザ更新要求が受信されたときを想定する。このとき、コンテンツマーカ情報処理部４３は、コンテンツマーカ識別情報ＣＭＩＤ１と対応付けて記憶されている個別共有ユーザ特定情報に含まれる共有許可ユーザ識別情報からユーザ識別情報ＵＩＤＡを削除する。これにより、コンテンツマーカ識別情報ＣＭＩＤ１と対応付けて記憶されている個別共有ユーザ特定情報に含まれる共有許可ユーザ識別情報は、空の情報となる。
【００９１】
また、コンテンツマーカ識別情報ＣＭＩＤ１と、空の情報である共有許可ユーザ識別情報と、ユーザ識別情報ＵＩＤＣを含む共有禁止ユーザ識別情報と、を含む個別共有ユーザ更新要求が受信されたときを想定する。このとき、コンテンツマーカ情報処理部４３は、コンテンツマーカ識別情報ＣＭＩＤ１と対応付けて記憶されている個別共有ユーザ特定情報に含まれる共有禁止ユーザ識別情報にユーザ識別情報ＵＩＤＣを追加する。これにより、コンテンツマーカ識別情報ＣＭＩＤ１と対応付けて記憶されている個別共有ユーザ特定情報に含まれる共有禁止ユーザ識別情報は、ユーザ識別情報ＵＩＤＢ及びユーザ識別情報ＵＩＤＣとなる。
【００９２】
また、コンテンツマーカ識別情報ＣＭＩＤ１と、ユーザ識別情報ＵＩＤＢを含む共有許可ユーザ識別情報と、空の情報である共有禁止ユーザ識別情報と、を含む個別共有ユーザ更新要求が受信されたときを想定する。このとき、コンテンツマーカ情報処理部４３は、コンテンツマーカ識別情報ＣＭＩＤ１と対応付けて記憶されている個別共有ユーザ特定情報に含まれる共有禁止ユーザ識別情報からユーザ識別情報ＵＩＤＢを削除する。これにより、コンテンツマーカ識別情報ＣＭＩＤ１と対応付けて記憶されている個別共有ユーザ特定情報に含まれる共有禁止ユーザ識別情報は、空の情報となる。
【００９３】
また、コンテンツマーカ識別情報ＣＭＩＤ１と、ユーザ識別情報ＵＩＤＤを含む共有許可ユーザ識別情報と、空の情報である共有禁止ユーザ識別情報と、を含む個別共有ユーザ更新要求が受信されたときを想定する。このとき、コンテンツマーカ情報処理部４３は、コンテンツマーカ識別情報ＣＭＩＤ１と対応付けて記憶されている個別共有ユーザ特定情報に含まれる共有許可ユーザ識別情報にユーザ識別情報ＵＩＤＤを追加する。これにより、コンテンツマーカ識別情報ＣＭＩＤ１と対応付けて記憶されている個別共有ユーザ特定情報に含まれる共有許可ユーザ識別情報は、ユーザ識別情報ＵＩＤＡ及びユーザ識別情報ＵＩＤＤとなる。
【００９４】
このようにして、コンテンツマーカ情報処理部４３は、受け付けた個別共有ユーザ更新要求に基づいて、コンテンツマーカ記憶部４４に記憶されているコンテンツマーカテーブルを更新する。
【００９５】
配信要求部４７は、情報送受信部４１により受信された処理要求としてのコンテンツ送信要求を受け付ける。コンテンツ送信要求は、ユーザ端末２ａ，２ｂにより送信され且つ端末アドレス情報及びコンテンツマーカ情報を含む情報である。配信要求部４７は、コンテンツ送信要求に含まれるコンテンツ識別情報及び端末アドレス情報を含むコンテンツ送信指示を出力する。情報送受信部４１は、配信要求部４７により出力されたコンテンツ送信指示を、コアＩＭＳ部３０を介してメディアサーバ４ｂへ送信する。
【００９６】
（機能：メディアサーバ）
メディアサーバ４ｂの機能は、メディア機能部（ＭＦ；Ｍｅｄｉａ  Ｆｕｎｃｔｉｏｎｓ）６０を含む。メディア機能部６０は、メディア制御機能部（ＭＣＦ；Ｍｅｄｉａ  Ｃｏｎｔｒｏｌ  Ｆｕｎｃｔｉｏｎｓ）、及び、メディア配信機能部（ＭＤＦ；Ｍｅｄｉａ  Ｄｅｌｉｖｅｒｙ  Ｆｕｎｃｔｉｏｎｓ）を含む。
【００９７】
メディア機能部６０は、情報送受信部６１と、コンテンツ配信制御部６２と、コンテンツ記憶部６３と、コンテンツ配信部６４と、を含む。
【００９８】
情報送受信部６１は、コアＩＭＳ部３０を介して、サービス制御サーバ４ａから送信された種々の情報を受信する。また、情報送受信部６１は、コアＩＭＳ部３０を介して、種々の情報をサービス制御サーバ４ａへ送信する。
【００９９】
更に、情報送受信部６１は、ユーザ端末２ａ，２ｂからコンテンツ視聴要求を受信する。コンテンツ視聴要求は、コンテンツ識別情報、再生開始位置及び再生終了位置を含む。更に、情報送受信部６１は、ユーザ端末２ａ，２ｂから所定の通信プロトコル（本例では、ＲＴＳＰ（Ｒｅａｌ  Ｔｉｍｅ  Ｓｔｒｅａｍｉｎｇ  Ｐｒｏｔｏｃｏｌ））に従って、再生開始要求を受信する。再生開始要求は、コンテンツデータの送信の開始を要求する旨を表す情報である。
【０１００】
コンテンツ配信制御部６２は、情報送受信部６１によりコンテンツ送信指示が受信された場合、コンテンツ送信指示に含まれるコンテンツ識別情報及び端末アドレス情報に基づいて、コンテンツデータを送信するメディアサーバを決定する。コンテンツ配信制御部６２は、決定したメディアサーバを特定するためのメディア配信特定情報と、コンテンツ識別情報と、をコアＩＭＳ部３０を介してサービス制御サーバ４ａへ送信する。
【０１０１】
サービス制御サーバ４ａは、受信したメディア配信特定情報及びコンテンツ識別情報に基づいて、コンテンツ識別情報により識別されるコンテンツデータを送信するために必要とされる通信帯域を決定する。サービス制御サーバ４ａは、決定した通信帯域を表す通信帯域情報と、受信したメディア配信特定情報と、を含む帯域確保指示をコアＩＭＳ部３０へ送信する。更に、サービス制御サーバ４ａは、受信したメディア配信特定情報及びコンテンツ識別情報をコアＩＭＳ部３０を介してユーザ端末２ａ，２ｂへ送信する。
【０１０２】
コンテンツ記憶部６３は、コンテンツを表すコンテンツデータを、コンテンツ識別情報と対応付けて予め記憶している。
【０１０３】
コンテンツ配信部６４は、情報送受信部６１により再生開始要求が受信されると、コンテンツ記憶部６３に記憶されているコンテンツデータのうちの、情報送受信部６１により受信されたコンテンツ視聴要求に含まれるコンテンツ識別情報により識別されるコンテンツデータを特定する。
【０１０４】
そして、コンテンツ配信部６４は、特定したコンテンツデータのうちの、コンテンツ視聴要求に含まれる再生開始位置から再生終了位置までの部分を、ユーザ端末２ａ，２ｂへ送信する。このとき、コンテンツ配信部６４は、コアＩＭＳ部３０により確立されたセッションを用いて、所定の通信プロトコル（本例では、ＲＴＰ（Ｒｅａｌ−ｔｉｍｅ  Ｔｒａｎｓｐｏｒｔ  Ｐｒｏｔｏｃｏｌ））に従ってデータを送信する。
【０１０５】
（機能：ポータルサーバ）
一方、ポータルサーバ５の機能は、サービス選択機能部（ＳＳＦ；Ｓｅｒｖｉｃｅ  Ｓｅｌｅｃｔｉｏｎ  Ｆｕｎｃｔｉｏｎ）２０を含む。サービス選択機能部２０は、ポータル画面送信部２１を含む。
ポータル画面送信部２１は、ユーザ端末２ａ，２ｂにより送信されたポータル画面要求を受信する。ポータル画面送信部２１は、受信したポータル画面要求に応じてポータル画面情報をユーザ端末２ａ，２ｂへ送信する。
【０１０６】
更に、サービス選択機能部２０は、図示しないコンテンツ一覧記憶部及びコンテンツ一覧送信部を含む。
コンテンツ一覧記憶部は、メディア機能部６０により記憶されているコンテンツデータが表すコンテンツの一覧を表すコンテンツ一覧情報をポータルサーバ５の記憶装置に予め記憶させている。
【０１０７】
コンテンツ一覧送信部は、ユーザ端末２ａ，２ｂにより送信されたコンテンツ一覧要求を受信する。コンテンツ一覧送信部は、受信したコンテンツ一覧要求に応じて、記憶されているコンテンツ一覧情報をユーザ端末２ａ，２ｂへ送信する。
【０１０８】
（作動）
次に、上述したコンテンツ配信システム１の作動について具体的に述べる。
【０１０９】
（作動：認証処理）
コンテンツ配信システム１がユーザ端末２ａ及びユーザ端末２ａのユーザＵＡを認証する際のコンテンツ配信システム１の作動について、図４のシーケンス図を参照しながら説明する。
【０１１０】
先ず、ユーザＵＡがユーザ端末２ａの電源スイッチの状態をオン状態に設定することにより、ユーザ端末２ａに電力が供給される。これにより、ユーザ端末２ａは、記憶している端末特定情報を含む端末認証処理要求を接続制御サーバ３ａ（トランスポート機能部８０）へ送信する（ステップＡ３０１）。
【０１１１】
トランスポート機能部８０は、受信した端末認証処理要求に含まれる端末特定情報と、予め記憶された端末認証用基準情報と、が対応（本例では、一致）しているか否かを判定することにより、ユーザ端末２ａが正当な端末であるか否かを認証（端末認証処理を実行）する（ステップＢ３０１）。そして、トランスポート機能部８０は、ユーザ端末２ａが正当な端末であると認証された場合、端末認証成功情報をユーザ端末２ａへ送信する（ステップＢ３０２）。端末認証成功情報は、端末アドレス情報を含み、且つ、ユーザ端末２ａが正当な端末であると認証された旨を表す情報である。
【０１１２】
ユーザ端末２ａは、端末認証成功情報を受信すると、ユーザ認証用情報の入力をユーザＵＡに促す画像を、図示しないテレビ受像機に表示させる。これにより、ユーザＵＡは、リモートコントローラを操作することにより、ユーザ認証用情報を入力する。
【０１１３】
そして、ユーザ端末２ａは、ユーザ認証用情報の入力を受け付けると、受け付けたユーザ認証用情報を含むユーザ認証処理要求をコアＩＭＳ部３０へ送信する（ステップＡ３０２）。
【０１１４】
これにより、コアＩＭＳ部３０は、ユーザ認証処理要求を受信する（ユーザ認証用情報受信工程）。コアＩＭＳ部３０は、受信したユーザ認証処理要求に含まれるユーザ認証用情報と、予め記憶されたユーザ認証用基準情報と、が対応（本例では、一致）しているか否かを判定する。これにより、コアＩＭＳ部３０は、ユーザ認証用基準情報に含まれるユーザ識別情報により識別されるユーザ（ユーザ認証用情報を入力したユーザ）が正当なユーザであるか否かを認証（ユーザ認証処理を実行）する（ステップＢ３０３、ユーザ認証工程）。そして、コアＩＭＳ部３０は、ユーザ認証用情報を入力したユーザが正当なユーザであると認証された場合、ユーザ認証成功情報をユーザ端末２ａへ送信する（ステップＢ３０４）。
【０１１５】
これにより、ユーザ端末２ａは、ユーザ認証成功情報を受信する。そして、以降において、ユーザ端末２ａは、ユーザ認証成功情報を含む処理要求（を含むＳＩＰメッセージ）をコアＩＭＳ部３０へ送信する。
【０１１６】
（作動：全体共有ユーザ登録処理）
次に、コンテンツ配信システム１がユーザ端末２ｂのユーザＵＢの入力に応じて、全体共有ユーザ特定情報を登録する際のコンテンツ配信システム１の作動について、図５のシーケンス図を参照しながら説明する。
【０１１７】
先ず、ユーザ端末２ｂは、ユーザ端末２ａの場合（図４を参照）と同様に、端末認証処理要求をトランスポート機能部８０へ送信するとともにユーザ認証処理要求をコアＩＭＳ部３０へ送信することにより、コアＩＭＳ部３０からユーザ認証成功情報を受信する。
【０１１８】
そして、ユーザ端末２ｂは、ポータル画面要求をサービス選択機能部２０へ送信する（ステップＡ４０１）。これにより、サービス選択機能部２０は、受信したポータル画面要求に応じてポータル画面を表すポータル画面情報をユーザ端末２ｂへ送信する（ステップＢ４０１）。そして、ユーザ端末２ｂは、受信したポータル画面情報が表す画像を図示しないテレビ受像機に表示させる。この画像には、全体共有ユーザ特定情報を入力するための入力欄と、その全体共有ユーザ特定情報の登録を要求する旨を指示するためのボタンと、が含まれる。
【０１１９】
そして、ユーザ端末２ｂのユーザＵＢは、リモートコントローラを介して全体共有ユーザ特定情報を入力する。更に、ユーザＵＢは、全体共有ユーザ特定情報の登録を要求する旨を指示するためのボタンを押し込む操作を行う。
【０１２０】
これにより、ユーザ端末２ｂは、ユーザＵＢを識別するためのユーザ識別情報としてのユーザ認証成功情報と、入力された全体共有ユーザ特定情報と、を含む全体共有ユーザ特定情報登録要求をコアＩＭＳ部３０を介して（コアＩＭＳ部３０を経由させて）サービス制御機能部４０へ送信する（ステップＡ４０２）。
【０１２１】
これにより、サービス制御機能部４０は、全体共有ユーザ特定情報登録要求を受信する（全体共有ユーザ特定情報受付工程）。次いで、サービス制御機能部４０は、ユーザプロファイルサーバ機能部５０に記憶されている全体共有ユーザテーブルのうちの、受信した全体共有ユーザ特定情報登録要求に含まれるユーザ識別情報と対応付けて記憶されている全体共有ユーザテーブルを特定する。
【０１２２】
そして、サービス制御機能部４０は、特定した全体共有ユーザテーブルに、受信した全体共有ユーザ特定情報登録要求に含まれる全体共有ユーザ特定情報を追加（登録）する（ステップＣ４０１、全体共有ユーザ特定情報記憶処理工程）。
【０１２３】
そして、サービス制御機能部４０は、全体共有ユーザ特定情報登録完了通知をコアＩＭＳ部３０を介してユーザ端末２ｂへ送信する（ステップＣ４０２）。全体共有ユーザ特定情報登録完了通知は、全体共有ユーザ特定情報の登録が完了した旨を表す通知である。そして、ユーザ端末２ｂは、全体共有ユーザ特定情報登録完了通知を受信すると、全体共有ユーザ特定情報の登録が完了した旨を表す画像を図示しないテレビ受像機に表示させる。
【０１２４】
（作動：コンテンツ一覧取得処理）
次に、コンテンツ配信システム１がユーザ端末２ｂのユーザＵＢの入力に応じて、コンテンツの一覧を取得する際のコンテンツ配信システム１の作動について、図６のシーケンス図を参照しながら説明する。
【０１２５】
先ず、ユーザ端末２ｂは、ポータル画面要求をサービス選択機能部２０へ送信する（ステップＡ５０１）。これにより、サービス選択機能部２０は、受信したポータル画面要求に応じてポータル画面を表すポータル画面情報をユーザ端末２ｂへ送信する（ステップＢ５０１）。そして、ユーザ端末２ｂは、受信したポータル画面情報が表す画像を図示しないテレビ受像機に表示させる。この画像には、コンテンツ一覧を要求する旨を指示するためのメニューが含まれる。
【０１２６】
そして、ユーザ端末２ｂのユーザＵＢは、コンテンツ一覧を要求する旨を指示するためのメニューを選択する情報を入力する。これにより、ユーザ端末２ｂは、ユーザ認証成功情報を含む処理要求としてのコンテンツ一覧要求をサービス選択機能部２０へ送信する（ステップＡ５０２）。
【０１２７】
これにより、サービス選択機能部２０は、コンテンツ一覧要求を受信する。次いで、サービス選択機能部２０は、記憶されているコンテンツ一覧情報をユーザ端末２ｂへ送信する（ステップＢ５０２）。そして、ユーザ端末２ｂは、コンテンツ一覧情報を受信すると、コンテンツ一覧情報が表すコンテンツの一覧を図示しないテレビ受像機に表示させる。
【０１２８】
なお、サービス選択機能部２０は、予め設定された周期が経過する毎に、メディアサーバ４ｂ（メディア機能部６０）に記憶されているコンテンツデータが表すコンテンツの一覧を表すコンテンツ一覧情報を取得し、記憶されているコンテンツ一覧情報を、取得したコンテンツ一覧情報に置換するように構成されていることが好適である。
【０１２９】
また、ユーザ端末２ｂは、サービス選択機能部２０に代えてサービス制御機能部４０へコンテンツ一覧要求を送信するように構成されていてもよい。この場合、サービス制御機能部４０は、コンテンツ一覧要求を受信した場合に、メディアサーバ４ｂ（メディア機能部６０）に記憶されているコンテンツデータが表すコンテンツの一覧を表すコンテンツ一覧情報を取得し、取得したコンテンツ一覧情報をコアＩＭＳ部３０を介してユーザ端末２ｂへ送信するように構成される。
【０１３０】
（作動：コンテンツマーカ登録処理）
次に、コンテンツ配信システム１がユーザ端末２ｂのユーザＵＢの入力に応じてコンテンツマーカ情報を登録する際のコンテンツ配信システム１の作動について、図７のシーケンス図を参照しながら説明する。
【０１３１】
テレビ受像機にコンテンツの一覧が表示されている状態において、ユーザ端末２ｂのユーザＵＢは、コンテンツを選択し、選択したコンテンツを特定するコンテンツ特定情報を入力する。コンテンツ特定情報は、コンテンツ識別情報を含む。更に、ユーザＵＢは、選択したコンテンツの再生開始位置及び再生終了位置を表す情報を入力する。加えて、ユーザＵＢは、個別共有ユーザ特定情報を入力する。
【０１３２】
これにより、ユーザ端末２ｂは、コンテンツ識別情報、再生開始位置及び再生終了位置を含むコンテンツマーカ情報と、入力された個別共有ユーザ特定情報と、ユーザＵＢを識別するためのユーザ識別情報としてのユーザ認証成功情報と、を含むコンテンツマーカ登録要求をコアＩＭＳ部３０を介してサービス制御機能部４０へ送信する（ステップＡ６０１）。
【０１３３】
これにより、サービス制御機能部４０は、コンテンツマーカ登録要求を受信する（コンテンツマーカ情報受付工程）。次いで、サービス制御機能部４０は、コンテンツマーカ識別情報を生成する。更に、サービス制御機能部４０は、コンテンツマーカ記憶部４４に記憶されているコンテンツマーカテーブルのうちの、受信したコンテンツマーカ登録要求に含まれるユーザ識別情報と対応付けて記憶されているコンテンツマーカテーブルを特定する。
【０１３４】
そして、サービス制御機能部４０は、特定したコンテンツマーカテーブルに、受信したコンテンツマーカ登録要求に含まれるコンテンツマーカ情報及び個別共有ユーザ特定情報と、生成したコンテンツマーカ識別情報と、の組からなるコンテンツマーカ登録情報を追加する（ステップＢ６０１、コンテンツマーカ情報記憶処理工程）。
【０１３５】
そして、サービス制御機能部４０は、コンテンツマーカ情報登録完了通知をコアＩＭＳ部３０を介してユーザ端末２ｂへ送信する（ステップＢ６０２）。コンテンツマーカ情報登録完了通知は、コンテンツマーカ情報の登録が完了した旨を表す通知である。そして、ユーザ端末２ｂは、コンテンツマーカ情報登録完了通知を受信すると、コンテンツマーカ情報の登録が完了した旨を表す画像を図示しないテレビ受像機に表示させる。
【０１３６】
なお、ここでは、ユーザＵＢがコンテンツの一覧からコンテンツの１つを選択することにより、選択されたコンテンツを識別するためのコンテンツ識別情報を含むコンテンツマーカ情報を、コンテンツ配信システム１に登録する場合のコンテンツ配信システム１の作動について説明した。
【０１３７】
ところで、ユーザＵＢがコンテンツマーカ情報の一覧からコンテンツマーカ情報の１つを選択することにより、選択されたコンテンツマーカ情報を、コンテンツ配信システム１に登録する場合のコンテンツ配信システム１の作動も同様に説明される。また、ユーザＵＢが視聴中のコンテンツを識別するためのコンテンツ識別情報を含むコンテンツマーカ情報を、コンテンツ配信システム１に登録する場合のコンテンツ配信システム１の作動も同様に説明される。
【０１３８】
（作動：コンテンツマーカ情報取得処理）
次に、コンテンツ配信システム１がユーザ端末２ａのユーザＵＡの入力に応じて、コンテンツマーカ情報を取得する際のコンテンツ配信システム１の作動について、図８のシーケンス図を参照しながら説明する。
【０１３９】
先ず、ユーザ端末２ａは、ポータル画面要求をサービス選択機能部２０へ送信する（ステップＡ７０１）。これにより、サービス選択機能部２０は、受信したポータル画面要求に応じてポータル画面を表すポータル画面情報をユーザ端末２ａへ送信する（ステップＢ７０１）。そして、ユーザ端末２ａは、受信したポータル画面情報が表す画像を図示しないテレビ受像機に表示させる。この画像には、コンテンツマーカ情報の出力を要求する旨を指示するためのメニューが含まれる。
【０１４０】
そして、ユーザ端末２ａのユーザＵＡは、コンテンツマーカ情報の出力を要求する旨を指示するためのメニューを選択する情報を入力する。これにより、ユーザ端末２ａは、ユーザＵＡを識別するためのユーザ識別情報としてのユーザ認証成功情報を含み且つコンテンツマーカ情報の出力を要求するコンテンツマーカ出力要求をコアＩＭＳ部３０を介してサービス制御機能部４０へ送信する（ステップＡ７０２）。
【０１４１】
これにより、サービス制御機能部４０は、コンテンツマーカ出力要求を受信する（コンテンツマーカ出力要求受付工程）。そして、サービス制御機能部４０は、ユーザプロファイルサーバ機能部５０に記憶されている全体共有ユーザテーブルと、コンテンツマーカ記憶部４４に記憶されているコンテンツマーカテーブルと、受信されたコンテンツマーカ出力要求と、に基づいて、記憶されているコンテンツマーカ情報から、当該ユーザ識別情報に応じたコンテンツマーカ情報を抽出する。
【０１４２】
具体的には、サービス制御機能部４０は、コンテンツマーカ出力要求に含まれるユーザ識別情報と対応付けて記憶されているコンテンツマーカテーブルを特定し、特定したコンテンツマーカテーブルに含まれるコンテンツマーカ情報を抽出する。
【０１４３】
更に、サービス制御機能部４０は、コンテンツマーカ記憶部４４に記憶されているすべてのコンテンツマーカ情報の中から、第１の抽出条件と第２の抽出条件との両方が成立するコンテンツマーカ情報を抽出する。
そして、サービス制御機能部４０は、抽出したコンテンツマーカ情報を出力する（ステップＣ７０１、コンテンツマーカ出力工程）。
【０１４４】
そして、サービス制御機能部４０は、出力されたコンテンツマーカ情報を、コアＩＭＳ部３０を介して、（コンテンツマーカ出力要求を送信してきた）ユーザ端末２ａへ送信する（ステップＣ７０２、コンテンツマーカ送信工程）。
【０１４５】
そして、ユーザ端末２ａは、コンテンツマーカ情報を受信すると、受信したコンテンツマーカ情報の一覧を図示しないテレビ受像機に表示させる（コンテンツマーカ一覧出力工程）。
【０１４６】
（作動：コンテンツマーカ更新処理）
次に、コンテンツ配信システム１がユーザ端末２ｂのユーザＵＢの入力に応じて個別共有ユーザ特定情報を更新する際のコンテンツ配信システム１の作動について、図９のシーケンス図を参照しながら説明する。
【０１４７】
テレビ受像機にコンテンツマーカ情報の一覧が表示されている状態において、ユーザ端末２ｂのユーザＵＢは、コンテンツマーカ情報を選択し、選択したコンテンツマーカ情報を特定するためのコンテンツマーカ特定情報を入力する。更に、ユーザＵＢは、共有許可ユーザ識別情報及び共有禁止ユーザ識別情報を入力する。
【０１４８】
これにより、ユーザ端末２ｂは、入力されたコンテンツマーカ特定情報を受け付け、受け付けたコンテンツマーカ特定情報により特定されるコンテンツマーカ情報を識別するためのコンテンツマーカ識別情報と、入力された共有許可ユーザ識別情報及び共有禁止ユーザ識別情報と、ユーザＵＢを識別するためのユーザ識別情報としてのユーザ認証成功情報と、を含む処理要求としての個別共有ユーザ更新要求をコアＩＭＳ部３０を介してサービス制御機能部４０へ送信する（ステップＡ８０１）。
【０１４９】
これにより、サービス制御機能部４０は、個別共有ユーザ更新要求を受信する（コンテンツマーカ情報受付工程）。次いで、サービス制御機能部４０は、コンテンツマーカ記憶部４４に記憶されている個別共有ユーザ特定情報のうちの、受信した個別共有ユーザ更新要求に含まれるコンテンツマーカ識別情報と対応付けて記憶されている個別共有ユーザ特定情報を特定する。そして、サービス制御機能部４０は、特定した個別共有ユーザ特定情報を、受信された個別共有ユーザ更新要求に基づいて更新する（ステップＢ８０１、コンテンツマーカ情報記憶処理工程）。
【０１５０】
そして、サービス制御機能部４０は、個別共有ユーザ更新完了通知をコアＩＭＳ部３０を介してユーザ端末２ｂへ送信する（ステップＢ８０２）。個別共有ユーザ更新完了通知は、個別共有ユーザ特定情報の更新が完了した旨を表す通知である。そして、ユーザ端末２ｂは、個別共有ユーザ更新完了通知を受信すると、個別共有ユーザ特定情報の更新が完了した旨を表す画像を図示しないテレビ受像機に表示させる。
【０１５１】
（作動：コンテンツ視聴処理）
次に、コンテンツ配信システム１がユーザ端末２ａのユーザＵＡの入力に応じて、コンテンツデータをユーザ端末２ａへ送信する際のコンテンツ配信システム１の作動について、図１０のシーケンス図を参照しながら説明する。
【０１５２】
テレビ受像機にコンテンツマーカ情報の一覧が表示されている状態において、ユーザ端末２ａのユーザＵＡは、コンテンツマーカ情報を選択し、選択したコンテンツマーカ情報を特定するためのコンテンツマーカ特定情報を入力する。
【０１５３】
これにより、ユーザ端末２ａは、入力されたコンテンツマーカ特定情報を受け付け、受け付けたコンテンツマーカ特定情報により特定されるコンテンツマーカ情報に含まれるコンテンツ識別情報と、ユーザＵＡを識別するためのユーザ識別情報としてのユーザ認証成功情報と、端末アドレス情報と、を含む処理要求としてのコンテンツ送信要求をコアＩＭＳ部３０を介してサービス制御機能部４０へ送信する（ステップＡ９０１）。
【０１５４】
そして、サービス制御機能部４０は、コンテンツ送信要求を受信する。次いで、サービス制御機能部４０は、受信されたコンテンツ送信要求に含まれるコンテンツ識別情報及び端末アドレス情報を含むコンテンツ送信指示をコアＩＭＳ部３０を介してメディア機能部６０へ送信する（ステップＣ９０１、コンテンツ送信工程の一部）。コンテンツ送信指示は、端末アドレス情報、ユーザ識別情報、及び、コンテンツ識別情報を含む。
【０１５５】
これにより、メディア機能部６０は、コンテンツ送信指示を受信する。そして、メディア機能部６０は、コンテンツ送信指示に含まれるコンテンツ識別情報及び端末アドレス情報に基づいて、コンテンツデータを送信するメディアサーバを決定する。更に、メディア機能部６０は、決定したメディアサーバ（本例では、メディアサーバ４ｂ）を特定するためのメディア配信特定情報と、コンテンツ識別情報と、をコアＩＭＳ部３０を介してサービス制御機能部４０へ送信する（ステップＤ９０１）。
【０１５６】
これにより、サービス制御機能部４０は、メディア配信特定情報及びコンテンツ識別情報を受信する。そして、サービス制御機能部４０は、受信したメディア配信特定情報及びコンテンツ識別情報に基づいて、コンテンツ識別情報により識別されるコンテンツデータを送信するために必要とされる通信帯域を決定する。
【０１５７】
更に、サービス制御機能部４０は、決定した通信帯域を表す通信帯域情報と、受信したメディア配信特定情報及びコンテンツ識別情報と、を含む帯域確保指示をコアＩＭＳ部３０へ送信する（ステップＣ９０２）。
【０１５８】
コアＩＭＳ部３０は、帯域確保指示を受信すると、メディアサーバ４ｂとユーザ端末２ａとの間の接続（セッション）を確立する（接続確立工程）。更に、コアＩＭＳ部３０は、受信した通信帯域情報と、受信したメディア配信特定情報により特定されるメディアサーバ４ｂとユーザ端末２ａとの間の通信経路を特定する通信経路特定情報と、をトランスポート機能部８０へ送信する。これにより、トランスポート機能部８０は、受信した通信経路特定情報により特定される通信経路にて、受信した通信帯域情報が表す通信帯域を確保するための処理（帯域確保処理）を行う（ステップＢ９０１）。
【０１５９】
そして、コアＩＭＳ部３０は、帯域確保処理が完了すると、送信準備完了通知をユーザ端末２ａへ送信する（ステップＢ９０２）。送信準備完了通知は、受信されたメディア配信特定情報及びコンテンツ識別情報を含む。
【０１６０】
そして、ユーザ端末２ａは、送信準備完了通知を受信すると、送信準備完了通知に含まれるメディア配信特定情報により特定されるメディアサーバ４ｂ（メディア機能部６０）へ、コンテンツ視聴要求及び再生開始要求を送信する（ステップＡ９０２）。コンテンツ視聴要求は、送信準備完了通知に含まれるコンテンツ識別情報と、上記入力されたコンテンツマーカ特定情報により特定されるコンテンツマーカ情報に含まれる再生開始位置及び再生終了位置と、を含む。
【０１６１】
そして、メディア機能部６０は、コンテンツ視聴要求及び再生開始要求を受信すると、コンテンツ記憶部６３に記憶されているコンテンツデータのうちの、受信したコンテンツ視聴要求に含まれるコンテンツ識別情報により識別されるコンテンツデータを特定する。
【０１６２】
次いで、メディア機能部６０は、特定したコンテンツデータのうちの、コンテンツ視聴要求に含まれる再生開始位置から再生終了位置までの部分を、ユーザ端末２ａへ送信する（ステップＤ９０２、コンテンツ送信工程の一部）。このとき、メディア機能部６０は、コアＩＭＳ部３０により確立されたセッションを用いてデータを送信する。これにより、ユーザ端末２ａは、コンテンツデータを受信し、受信したコンテンツデータが表すコンテンツを図示しないテレビ受像機に出力させる。
【０１６３】
なお、ここでは、ユーザＵＡがコンテンツマーカ情報の一覧からコンテンツマーカ情報の１つを選択することにより、選択されたコンテンツマーカ情報に応じたコンテンツデータを、コンテンツ配信システム１がユーザ端末２ａへ送信する場合のコンテンツ配信システム１の作動について説明した。ところで、ユーザＵＡがコンテンツの一覧からコンテンツの１つを選択することにより、選択されたコンテンツを表すコンテンツデータを、コンテンツ配信システム１がユーザ端末２ａへ送信する場合のコンテンツ配信システム１の作動も同様に説明される。また、コンテンツデータをユーザ端末２ｂへ送信する場合のコンテンツ配信システム１の作動も同様に説明される。
【０１６４】
以上、説明したように、本発明の第１実施形態に係るコンテンツ配信システム１によれば、コンテンツマーカ情報毎に、当該コンテンツマーカ情報を共有するユーザを設定することができる。この結果、あるユーザが登録したコンテンツマーカ情報を、コンテンツマーカ情報毎に異なるユーザと共有することができる。更に、全体共有ユーザ特定情報を設定することにより、コンテンツマーカ情報を共有するユーザとして、すべてのコンテンツマーカ情報に共通するユーザを設定することができる。この結果、コンテンツマーカ情報を共有するユーザを設定するユーザの手間を軽減することもできる。
【０１６５】
即ち、コンテンツ配信システム１によれば、コンテンツマーカ情報を共有するユーザを設定するユーザの手間を軽減しながら、コンテンツマーカ情報毎に異なるユーザとコンテンツマーカ情報を共有することができる。
【０１６６】
更に、コンテンツ配信システム１は、ユーザ端末２ａ，２ｂにより送信され且つコンテンツマーカ情報を含むコンテンツ視聴要求を受信し、当該受信したコンテンツ視聴要求に含まれるコンテンツマーカ情報により識別されるコンテンツを表すコンテンツデータを、当該ユーザ端末２ａ，２ｂへ送信する。
【０１６７】
これによれば、ユーザ端末２ａ，２ｂのユーザは、視聴したいコンテンツを特定するために煩雑な操作を行うことなく、そのコンテンツを視聴することができる。この結果、ユーザの利便性を向上させることができる。
【０１６８】
加えて、コンテンツ配信システム１は、正当なユーザであると認証されたユーザを識別するためのユーザ識別情報を含むコンテンツマーカ出力要求を受け付ける。これにより、正当なユーザであると認証されていないユーザによって送信されたコンテンツマーカ出力要求に基づく処理をコンテンツ配信システム１が行うことを防止することができる。この結果、不正なユーザによりコンテンツマーカ情報が閲覧されることを防止することができる。
【０１６９】
なお、第１実施形態において、コンテンツ配信システム１は、ユーザ端末２ａ，２ｂがコンテンツマーカ出力要求を、コアＩＭＳ部３０を経由させてサービス制御機能部４０へ送信するように構成されていた。即ち、ユーザ端末２ａ，２ｂは、コンテンツマーカ出力要求としてのＳＩＰメッセージを送信するように構成されていた。
【０１７０】
ところで、第１実施形態の変形例において、コンテンツ配信システム１は、図１１に示したように、ユーザ端末２ａ，２ｂがコンテンツマーカ出力要求をサービス選択機能部２０へ送信し、サービス選択機能部２０が受信したコンテンツマーカ出力要求を、コアＩＭＳ部３０を経由させてサービス制御機能部４０へ送信するように構成されていてもよい。
【０１７１】
この場合、コンテンツ配信システム１は、ユーザ端末２ａ，２ｂが、コンテンツマーカ出力要求としてのＨＴＴＰメッセージをサービス選択機能部２０へ送信するとともに、サービス選択機能部２０が、コンテンツマーカ出力要求としてのＳＩＰメッセージをコアＩＭＳ部３０を経由させてサービス制御機能部４０へ送信するように構成される。
【０１７２】
更に、この変形例において、コンテンツ配信システム１は、サービス制御機能部４０がコンテンツマーカ情報を含むＳＩＰメッセージを、コアＩＭＳ部３０を経由させてサービス選択機能部２０へ送信し、サービス選択機能部２０が受信したコンテンツマーカ情報を含むＨＴＴＰメッセージをユーザ端末２ａ，２ｂへ送信するように構成される。
【０１７３】
なお、第１実施形態において、コンテンツ配信システム１は、ユーザ端末２ａ，２ｂがユーザ認証成功情報（即ち、ユーザ識別情報）を含む処理要求をサービス制御機能部４０へ送信するように構成されていた。ところで、第１実施形態の他の変形例において、コンテンツ配信システム１は、ユーザ端末２ａ，２ｂがユーザ認証成功情報を含まない処理要求を送信するとともに、コアＩＭＳ部３０（例えば、認証プロキシサーバ（Ａｕｔｈｅｎｔｉｃａｔｉｏｎ  Ｐｒｏｘｙ））が当該処理要求にユーザ認証成功情報を付加するように構成されていてもよい。
【０１７４】
また、第１実施形態の他の変形例において、コンテンツ配信システム１は、サービス選択機能部２０、又は、サービス制御機能部４０がユーザ認証処理を行うように構成されていてもよい。
【０１７５】
＜第１実施形態の第１変形例＞
次に、本発明の第１実施形態の第１変形例に係るコンテンツ配信システムについて説明する。この第１変形例に係るコンテンツ配信システムは、上記第１実施形態に係るコンテンツ配信システムに対して、個別共有ユーザ特定情報が共有禁止ユーザ識別情報を含み且つ共有許可ユーザ識別情報を含まない点において相違している。従って、以下、かかる相違点を中心として説明する。
【０１７６】
本例では、個別共有ユーザ特定情報は、共有禁止ユーザ識別情報のみを含む。したがって、少なくとも本例において、個別共有ユーザ特定情報は共有禁止ユーザ識別情報に言い換えられうる。
【０１７７】
また、コンテンツマーカ出力部４６は、コンテンツマーカ記憶部４４に記憶されているすべてのコンテンツマーカ情報の中から、第１の抽出条件（第１の条件）と第２の抽出条件（第２の条件）との両方が成立するコンテンツマーカ情報を抽出する。
【０１７８】
第１の抽出条件は、全体共有ユーザ特定情報に含まれる共有許可ユーザ識別情報が、受け付けられたコンテンツマーカ出力要求に含まれるユーザ識別情報を含む、という条件である。
第２の抽出条件は、個別共有ユーザ特定情報に含まれる共有禁止ユーザ識別情報が、受け付けられたコンテンツマーカ出力要求に含まれるユーザ識別情報を含まない、という条件である。
【０１７９】
具体的には、コンテンツマーカ出力部４６は、コンテンツマーカ出力要求が受け付けられると、受け付けられたコンテンツマーカ出力要求に含まれるユーザ識別情報を共有許可ユーザ識別情報として含む全体共有ユーザ特定情報と対応付けてユーザプロファイルサーバ機能部５０に記憶されているユーザ識別情報を特定する。
【０１８０】
そして、コンテンツマーカ出力部４６は、コンテンツマーカ記憶部４４に記憶されているコンテンツマーカ情報及び個別共有ユーザ特定情報の中から、上記特定したユーザ識別情報と対応付けて記憶されているコンテンツマーカ情報及び個別共有ユーザ特定情報を互いに対応付けて取得する。
【０１８１】
つまり、コンテンツマーカ出力部４６は、受け付けられたコンテンツマーカ出力要求に含まれるユーザ識別情報を共有許可ユーザ識別情報として含む全体共有ユーザ特定情報と対応付けられているユーザ識別情報と関連づけられるコンテンツマーカ情報及び個別共有ユーザ特定情報を検索する、と言うことができる。
【０１８２】
次いで、コンテンツマーカ出力部４６は、取得された個別共有ユーザ特定情報のそれぞれに対して、当該個別共有ユーザ特定情報に含まれる共有禁止ユーザ識別情報が、コンテンツマーカ出力要求に含まれるユーザ識別情報を含むか否かを判定（確認）する。そして、コンテンツマーカ出力部４６は、個別共有ユーザ特定情報に含まれる共有禁止ユーザ識別情報が、コンテンツマーカ出力要求に含まれるユーザ識別情報を含むと判定した場合、当該個別共有ユーザ特定情報と、当該個別共有ユーザ特定情報に対応付けられたコンテンツマーカ情報と、を、上記取得されたコンテンツマーカ情報及び個別共有ユーザ特定情報から削除する。
【０１８３】
上記のコンテンツマーカ出力部４６による判定及び削除等の動作は、次のように言い換えることができる。コンテンツマーカ出力部４６は、コンテンツマーカ出力要求に含まれるユーザ識別情報が共有禁止ユーザ識別情報に存在するか否かを確認する。そして、コンテンツマーカ出力要求に含まれるユーザ識別情報が共有禁止ユーザ識別情報に存在する場合、コンテンツマーカ出力部４６は、当該共有禁止ユーザ識別情報と、当該共有禁止ユーザ識別情報に対応付けられたコンテンツマーカ情報と、を、上記検索されたコンテンツマーカ情報及び個別共有ユーザ特定情報である応答データ集合から削除する。
【０１８４】
上記取得されたコンテンツマーカ情報及び個別共有ユーザ特定情報からの削除の後、コンテンツマーカ出力部４６は、上記取得されたコンテンツマーカ情報のうちの、残存しているコンテンツマーカ情報を出力する。なお、この残存しているコンテンツマーカ情報は、コンテンツマーカ出力要求に含まれるユーザ識別情報に応じて抽出されたコンテンツマーカ情報である、と言うことができる。この場合、共有される対象から個別共有ユーザ特定情報が除外される。この結果、コンテンツマーカ情報を共有しているユーザから、共有を禁止されたユーザのユーザ識別情報を隠蔽しうるようにコンテンツ配信システムを構成できる。
【０１８５】
なお、コンテンツマーカ出力部４６は、上記取得されたコンテンツマーカ情報のうちの残存しているコンテンツマーカ情報を出力することにかえて、上記取得されたコンテンツマーカ情報及び個別共有ユーザ特定情報のうちの、残存しているコンテンツマーカ情報及び個別共有ユーザ特定情報を出力しても良い。この場合、個別共有ユーザ特定情報も共有される。この結果、コンテンツマーカ情報を共有するユーザのそれぞれが当該コンテンツマーカ情報を共有できないユーザを確認しうるようにコンテンツ配信システムを構成できる。
【０１８６】
このように構成されたコンテンツ配信システム１であっても、第１実施形態と同様の作用及び効果を奏することができる。
【０１８７】
＜第１実施形態の第２変形例＞
次に、本発明の第１実施形態の第１変形例に係るコンテンツ配信システムについて説明する。この第１変形例に係るコンテンツ配信システムは、上記第１実施形態に係るコンテンツ配信システムに対して、個別共有ユーザ特定情報が共有許可ユーザ識別情報を含み且つ共有禁止ユーザ識別情報を含まない点において相違している。従って、以下、かかる相違点を中心として説明する。
【０１８８】
本例では、個別共有ユーザ特定情報は、共有許可ユーザ識別情報のみを含む。したがって、少なくとも本例において、個別共有ユーザ特定情報は共有許可ユーザ識別情報に言い換えられうる。
【０１８９】
また、コンテンツマーカ出力部４６は、コンテンツマーカ記憶部４４に記憶されているすべてのコンテンツマーカ情報の中から、抽出条件が成立するコンテンツマーカ情報を抽出する。
【０１９０】
抽出条件は、個別共有ユーザ特定情報に含まれる共有許可ユーザ識別情報、及び、全体共有ユーザ特定情報に含まれる共有許可ユーザ識別情報、の少なくとも一方が、受け付けられたコンテンツマーカ出力要求に含まれるユーザ識別情報を含む、という条件である。
【０１９１】
具体的には、コンテンツマーカ出力部４６は、コンテンツマーカ出力要求が受け付けられると、受け付けられたコンテンツマーカ出力要求に含まれるユーザ識別情報を共有許可ユーザ識別情報として含む全体共有ユーザ特定情報と対応付けてユーザプロファイルサーバ機能部５０に記憶されているユーザ識別情報を特定する。
【０１９２】
そして、コンテンツマーカ出力部４６は、コンテンツマーカ記憶部４４に記憶されているコンテンツマーカ情報の中から、上記特定したユーザ識別情報と対応付けて記憶されているコンテンツマーカ情報を取得する。
【０１９３】
更に、コンテンツマーカ出力部４６は、コンテンツマーカ出力要求に含まれるユーザ識別情報を共有許可ユーザ識別情報として含む個別共有ユーザ特定情報と対応付けてコンテンツマーカ記憶部４４に記憶されているコンテンツマーカ情報を取得する。
【０１９４】
そして、コンテンツマーカ出力部４６は、全体共有ユーザ特定情報に基づいて取得されたコンテンツマーカ情報と、個別共有ユーザ特定情報に基づいて取得されたコンテンツマーカ情報と、を併合する。次いで、コンテンツマーカ出力部４６は、併合されたコンテンツマーカ情報から、重複するコンテンツマーカ情報を削除し、残存しているコンテンツマーカ情報を出力する。なお、この残存しているコンテンツマーカ情報は、コンテンツマーカ出力要求に含まれるユーザ識別情報に応じて抽出されたコンテンツマーカ情報である、と言うことができる。
【０１９５】
このように構成されたコンテンツ配信システム１であっても、第１実施形態と同様の作用及び効果を奏することができる。
【０１９６】
＜第２実施形態＞
次に、本発明の第２実施形態に係るコンテンツ配信システムについて説明する。この第２実施形態に係るコンテンツ配信システムは、上記第１実施形態に係るコンテンツ配信システムに対して、全体共有ユーザ特定情報及び個別共有ユーザ特定情報に基づくコンテンツマーカ情報の抽出方式が異なる点において相違している。従って、以下、かかる相違点を中心として説明する。
【０１９７】
本例では、個別共有ユーザ特定情報は、共有許可ユーザ識別情報のみを含む。
また、コンテンツマーカ出力部４６は、個別共有ユーザ特定情報に含まれる共有許可ユーザ識別情報が空の情報でない場合、当該個別共有ユーザ特定情報に基づいてコンテンツマーカ情報を抽出するか否かを決定する。
【０１９８】
具体的には、この場合、コンテンツマーカ出力部４６は、当該個別共有ユーザ特定情報に含まれる共有許可ユーザ識別情報が、受け付けられたコンテンツマーカ出力要求に含まれるユーザ識別情報を含むか否かを判定する。コンテンツマーカ出力部４６は、共有許可ユーザ識別情報がユーザ識別情報を含むと判定したとき、当該個別共有ユーザ特定情報と対応付けて記憶されているコンテンツマーカ情報を当該ユーザ識別情報に応じたコンテンツマーカ情報として抽出する。
【０１９９】
一方、コンテンツマーカ出力部４６は、個別共有ユーザ特定情報に含まれる共有許可ユーザ識別情報が空の情報である場合、当該個別共有ユーザ特定情報と対応付けて記憶されているユーザ識別情報と対応付けて記憶されている全体共有ユーザ特定情報に基づいてコンテンツマーカ情報を抽出するか否かを決定する。
【０２００】
具体的には、この場合、コンテンツマーカ出力部４６は、全体共有ユーザ特定情報に含まれる共有許可ユーザ識別情報が、受け付けられたコンテンツマーカ出力要求に含まれるユーザ識別情報を含むか否かを判定する。コンテンツマーカ出力部４６は、共有許可ユーザ識別情報がユーザ識別情報を含むと判定したとき、当該個別共有ユーザ特定情報と対応付けて記憶されているコンテンツマーカ情報を当該ユーザ識別情報に応じたコンテンツマーカ情報として抽出する。
【０２０１】
この機能について、下記の（１）〜（４）のすべての条件が成立している場合を想定して具体的に説明する。
（１）ユーザ識別情報ＵＩＤＡと対応付けて記憶されている全体共有ユーザ特定情報に含まれる共有許可ユーザ識別情報が、ユーザ識別情報ＵＩＤＢ及びユーザ識別情報ＵＩＤＣを含む。
（２）ユーザ識別情報ＵＩＤＡと対応付けて記憶されているコンテンツマーカ情報ＣＭ１と対応付けられた個別共有ユーザ特定情報に含まれる共有許可ユーザ識別情報が空の情報である。
（３）ユーザ識別情報ＵＩＤＡと対応付けて記憶されているコンテンツマーカ情報ＣＭ２と対応付けられた個別共有ユーザ特定情報に含まれる共有許可ユーザ識別情報がユーザ識別情報ＵＩＤＢを含む。
（４）ユーザ識別情報ＵＩＤＡと対応付けて記憶されているコンテンツマーカ情報ＣＭ３と対応付けられた個別共有ユーザ特定情報に含まれる共有許可ユーザ識別情報がユーザ識別情報ＵＩＤＢ及びユーザ識別情報ＵＩＤＤを含む。
【０２０２】
この場合において、ユーザ識別情報ＵＩＤＢを含むコンテンツマーカ出力要求が受け付けられたとき、コンテンツマーカ出力部４６は、コンテンツマーカ情報ＣＭ１、コンテンツマーカ情報ＣＭ２、及び、コンテンツマーカ情報ＣＭ３を抽出する。
また、ユーザ識別情報ＵＩＤＣを含むコンテンツマーカ出力要求が受け付けられたとき、コンテンツマーカ出力部４６は、コンテンツマーカ情報ＣＭ１を抽出する。
また、ユーザ識別情報ＵＩＤＤを含むコンテンツマーカ出力要求が受け付けられたとき、コンテンツマーカ出力部４６は、コンテンツマーカ情報ＣＭ３を抽出する。
【０２０３】
このようにして、コンテンツマーカ出力部４６は、コンテンツマーカ記憶部４４に記憶されているすべてのコンテンツマーカ情報の中から、受け付けられたコンテンツマーカ出力要求に含まれるユーザ識別情報に応じたコンテンツマーカ情報を抽出する。
【０２０４】
また、本例では、個別共有ユーザ更新要求は、コンテンツマーカ識別情報と、共有許可ユーザ識別情報を含む個別共有ユーザ特定情報と、を含む。
コンテンツマーカ情報処理部４３は、受け付けた個別共有ユーザ更新要求に基づいて、コンテンツマーカ記憶部４４に記憶されているコンテンツマーカテーブルを更新する。
【０２０５】
具体的には、コンテンツマーカ情報処理部４３は、情報送受信部４１により個別共有ユーザ更新要求が受信されると、当該個別共有ユーザ更新要求に含まれるコンテンツマーカ識別情報と対応付けて記憶されている個別共有ユーザ特定情報を特定する。そして、コンテンツマーカ情報処理部４３は、特定した個別共有ユーザ特定情報を、当該個別共有ユーザ更新要求に含まれる個別共有ユーザ特定情報に置換する。
【０２０６】
このように構成されたコンテンツ配信システム１であっても、第１実施形態と同様の作用及び効果を奏することができる。
【０２０７】
＜第２実施形態の第１変形例＞
次に、本発明の第２実施形態の第１変形例に係るコンテンツ配信システムについて説明する。この第１変形例に係るコンテンツ配信システムは、上記第２実施形態に係るコンテンツ配信システムに対して、個別共有ユーザ特定情報の更新方式が異なる点において相違している。従って、以下、かかる相違点を中心として説明する。
【０２０８】
本例では、個別共有ユーザ更新要求は、コンテンツマーカ識別情報と、共有許可ユーザ識別情報と、共有禁止ユーザ識別情報と、を含む。
コンテンツマーカ情報処理部４３は、受け付けた個別共有ユーザ更新要求に基づいて、コンテンツマーカ記憶部４４に記憶されているコンテンツマーカテーブルを更新する。
【０２０９】
具体的には、コンテンツマーカ情報処理部４３は、情報送受信部４１により個別共有ユーザ更新要求が受信されると、当該個別共有ユーザ更新要求に含まれるコンテンツマーカ識別情報と対応付けて記憶されている個別共有ユーザ特定情報を特定する。
【０２１０】
コンテンツマーカ情報処理部４３は、受け付けられた個別共有ユーザ更新要求に含まれる共有禁止ユーザ識別情報に含まれるユーザ識別情報を、特定した個別共有ユーザ特定情報に含まれる共有許可ユーザ識別情報から削除する。更に、コンテンツマーカ情報処理部４３は、受け付けられた個別共有ユーザ更新要求に含まれる共有許可ユーザ識別情報に含まれるユーザ識別情報を、特定した個別共有ユーザ特定情報に含まれる共有許可ユーザ識別情報に追加する。
【０２１１】
このように構成されたコンテンツ配信システム１であっても、第２実施形態と同様の作用及び効果を奏することができる。
【０２１２】
＜第３実施形態＞
次に、本発明の第３実施形態に係るコンテンツ配信システムについて説明する。この第３実施形態に係るコンテンツ配信システムは、上記第１実施形態に係るコンテンツ配信システムに対して、コンテンツマーカ情報を共有するユーザを特定するための情報として、複数のユーザからなるグループを識別するための情報を用いる点において相違している。従って、以下、かかる相違点を中心として説明する。
【０２１３】
このコンテンツ配信システム１に係るサービス制御機能部４０は、図１２に示したように、第１実施形態に係るサービス制御機能部４０が有する機能に加えて、グループ記憶部（グループ情報記憶手段）４８を含む。
【０２１４】
グループ記憶部４８は、複数のユーザ識別情報と、当該複数のユーザ識別情報により識別される複数のユーザからなるグループを識別するためのグループ識別情報と、を対応付けて記憶する。
【０２１５】
コンテンツマーカ登録要求送信部１１ａは、コンテンツマーカ情報と、ユーザにより入力された情報であり且つ当該コンテンツマーカ情報を共有する複数のユーザからなるグループを識別するための情報である個別共有グループ識別情報と、ユーザ端末２ａ，２ｂのユーザを識別するためのユーザ識別情報と、を含むコンテンツマーカ登録要求を送信する。なお、コンテンツマーカ登録要求は、個別共有グループ識別情報に加えて個別共有ユーザ特定情報を含んでいてもよい。
【０２１６】
コンテンツマーカ情報処理部４３は、情報送受信部４１により受信されたコンテンツマーカ登録要求を受け付ける。コンテンツマーカ情報処理部４３は、受け付けたコンテンツマーカ登録要求に基づいて、コンテンツマーカ記憶部４４に記憶されているコンテンツマーカテーブルを更新する。
【０２１７】
具体的には、コンテンツマーカ情報処理部４３は、情報送受信部４１によりコンテンツマーカ登録要求が受信されると、コンテンツマーカ情報を識別するためのコンテンツマーカ識別情報を生成する。
【０２１８】
更に、コンテンツマーカ情報処理部４３は、受け付けたコンテンツマーカ登録要求に含まれる個別共有グループ識別情報と同一のグループ識別情報と対応付けてグループ記憶部４８に記憶されている複数のユーザ識別情報を含む個別共有ユーザ特定情報を生成する。
【０２１９】
そして、コンテンツマーカ情報処理部４３は、受信されたコンテンツマーカ登録要求に含まれるユーザ識別情報と対応付けて記憶されているコンテンツマーカテーブルに、当該コンテンツマーカ登録要求に含まれるコンテンツマーカ情報と、生成した個別共有ユーザ特定情報と、生成したコンテンツマーカ識別情報と、の組からなるコンテンツマーカ登録情報を追加する。
【０２２０】
また、個別共有ユーザ更新要求送信部１１ｂは、コンテンツマーカ識別情報と、共有許可グループ識別情報と、共有禁止グループ識別情報と、を含む個別共有ユーザ更新要求を送信する。共有許可グループ識別情報は、コンテンツマーカ情報の共有を許可する複数のユーザからなるグループを識別するための情報である。共有禁止グループ識別情報は、コンテンツマーカ情報の共有を禁止する複数のユーザからなるグループを識別するための情報である。
【０２２１】
また、コンテンツマーカ情報処理部４３は、情報送受信部４１により受信された個別共有ユーザ更新要求を受け付ける。コンテンツマーカ情報処理部４３は、受け付けた個別共有ユーザ更新要求に基づいて、コンテンツマーカ記憶部４４に記憶されているコンテンツマーカテーブルを更新する。
【０２２２】
具体的には、コンテンツマーカ情報処理部４３は、情報送受信部４１により個別共有ユーザ更新要求が受信されると、当該個別共有ユーザ更新要求に含まれるコンテンツマーカ識別情報と対応付けて記憶されている個別共有ユーザ特定情報を特定する。
【０２２３】
更に、コンテンツマーカ情報処理部４３は、受け付けたコンテンツマーカ登録要求に含まれる共有許可グループ識別情報と同一のグループ識別情報と対応付けてグループ記憶部４８に記憶されている複数のユーザ識別情報を含む共有許可ユーザ識別情報を生成する。同様に、コンテンツマーカ情報処理部４３は、受け付けたコンテンツマーカ登録要求に含まれる共有禁止グループ識別情報と同一のグループ識別情報と対応付けてグループ記憶部４８に記憶されている複数のユーザ識別情報を含む共有禁止ユーザ識別情報を生成する。
【０２２４】
そして、コンテンツマーカ情報処理部４３は、生成した共有許可ユーザ識別情報及び共有禁止ユーザ識別情報に基づいて、特定した個別共有ユーザ特定情報を更新する。
【０２２５】
このように構成されたコンテンツ配信システム１であっても、第１実施形態と同様の作用及び効果を奏することができる。
更に、第３実施形態に係るコンテンツ配信システム１によれば、コンテンツマーカ情報を共有するユーザとして複数のユーザを設定する場合に、ユーザが入力する情報量を低減することができる。即ち、コンテンツマーカ情報を共有するユーザを設定するユーザの手間を軽減することができる。
【０２２６】
なお、全体共有ユーザ特定情報登録要求が、全体共有ユーザ特定情報に代えて、又は、全体共有ユーザ特定情報に加えて全体共有グループ識別情報を含んでいてもよい。ここで、全体共有グループ識別情報は、コンテンツマーカ情報を共有する複数のユーザからなるグループを識別するための情報の基本値である。この場合、全体共有ユーザ特定情報処理部４２は、全体共有グループ識別情報と同一のグループ識別情報と対応付けてグループ記憶部４８に記憶されている複数のユーザ識別情報を含む全体共有ユーザ特定情報を生成することが好適である。
【０２２７】
また、コンテンツマーカ登録要求がサービス選択機能部２０を経由してサービス制御機能部４０へ送信される場合、サービス選択機能部２０が個別共有グループ識別情報に基づいて個別共有ユーザ特定情報を生成するように構成されていてもよい。同様に、個別共有ユーザ更新要求がサービス選択機能部２０を経由してサービス制御機能部４０へ送信される場合、サービス選択機能部２０が、共有許可グループ識別情報に基づいて共有許可ユーザ識別情報を生成するとともに、共有禁止グループ識別情報に基づいて共有禁止ユーザ識別情報を生成するように構成されていてもよい。
【０２２８】
また、コンテンツ配信システム１は、複数のグループ識別情報を含むグループ登録要求を受け付けた場合に、当該グループ登録要求に含まれる複数のグループ識別情報のそれぞれと対応付けてグループ記憶部４８に記憶されている複数のユーザ識別情報を取得し、当該取得した複数のユーザ識別情報と、新たに生成したグループ識別情報と、を対応付けてグループ記憶部４８に記憶させるように構成されることが好適である。
【０２２９】
＜第４実施形態＞
次に、本発明の第４実施形態に係るコンテンツ配信システムについて説明する。この第４実施形態に係るコンテンツ配信システムは、上記第１実施形態に係るコンテンツ配信システムに対して、ユーザ毎に閲覧可能なコンテンツマーカ情報を予め抽出しておくように構成される点において相違している。従って、以下、かかる相違点を中心として説明する。
【０２３０】
このコンテンツ配信システム１に係るサービス制御機能部４０は、図１３に示したように、第１実施形態に係るサービス制御機能部４０が有する機能に加えて、ユーザ毎コンテンツマーカ記憶部（ユーザ毎コンテンツマーカ情報記憶手段）４９を含む。
【０２３１】
コンテンツマーカ情報処理部４３は、予め設定された更新周期が経過する毎に、又は、コンテンツマーカテーブルが更新される毎に、ユーザ識別情報のそれぞれに対して、コンテンツマーカ記憶部４４に記憶されているコンテンツマーカ情報から当該ユーザ識別情報に応じたコンテンツマーカ情報を抽出する。コンテンツマーカ情報処理部４３は、第１実施形態に係るコンテンツマーカ出力部４６と同様に、ユーザ識別情報と、全体共有ユーザ特定情報と、個別共有ユーザ特定情報と、に基づいて、当該ユーザ識別情報に応じたコンテンツマーカ情報を抽出する。
【０２３２】
そして、コンテンツマーカ情報処理部４３は、抽出されたコンテンツマーカ情報を識別するためのコンテンツマーカ識別情報と、当該ユーザ識別情報と、を対応付けてユーザ毎コンテンツマーカ記憶部４９に記憶させる処理を行う。
【０２３３】
コンテンツマーカ出力部４６は、コンテンツマーカ出力要求が受け付けらると、当該コンテンツマーカ出力要求に含まれるユーザ識別情報と対応付けてユーザ毎コンテンツマーカ記憶部４９に記憶されているコンテンツマーカ識別情報を特定する。コンテンツマーカ出力部４６は、特定したコンテンツマーカ識別情報により識別されるコンテンツマーカ情報を、当該ユーザ識別情報に応じたコンテンツマーカ情報として抽出する。
【０２３４】
このように構成されたコンテンツ配信システム１であっても、第１実施形態と同様の作用及び効果を奏することができる。
【０２３５】
更に、第４実施形態に係るコンテンツ配信システム１によれば、コンテンツ配信システム１は、コンテンツマーカ出力要求を受け付けた場合に、予め対応付けて記憶されている、ユーザ識別情報と、コンテンツマーカ識別情報と、に基づいてコンテンツマーカ情報を抽出することができる。従って、コンテンツ配信システム１によれば、コンテンツマーカ情報を高速に抽出することができる。
【０２３６】
＜第５実施形態＞
次に、本発明の第５実施形態に係るコンテンツ配信システムについて説明する。この第５実施形態に係るコンテンツ配信システムは、上記第１実施形態に係るコンテンツ配信システムに対して、ユーザ端末のユーザが正常に視聴できない可能性が高いコンテンツを選択されにくくするように構成される点において相違している。従って、以下、かかる相違点を中心として説明する。
【０２３７】
このコンテンツ配信システム１に係るサービス制御機能部４０は、図１４に示したように、第１実施形態に係るサービス制御機能部４０が有する機能に加えて、視聴権限情報記憶部４９ａを含む。
【０２３８】
視聴権限情報記憶部４９ａは、ユーザ識別情報と対応付けて視聴権限テーブルを記憶している。視聴権限テーブルは、視聴権限情報を複数含むテーブルである。視聴権限情報は、コンテンツ識別情報と、視聴可否情報と、の組からなる。ここで、視聴可否情報は、コンテンツデータをユーザ端末２ａ，２ｂへ送信することを許可するか否かを表す情報である。なお、視聴権限テーブルは、ユーザプロファイルサーバ機能部５０に記憶されていてもよい。
【０２３９】
本例では、コンテンツマーカ出力部４６は、コンテンツマーカ出力要求に含まれるユーザ識別情報と対応付けて記憶されている視聴権限テーブルを特定する。そして、コンテンツマーカ出力部４６は、抽出されたコンテンツマーカ情報のうちの、特定した視聴権限テーブルにて、ユーザ端末２ａ，２ｂへコンテンツデータを送信することを許可する旨を表す視聴可否情報（視聴許可情報）と対応付けて記憶されているコンテンツ識別情報を含むコンテンツマーカ情報のみを出力する。
【０２４０】
次いで、情報送受信部４１は、コンテンツマーカ出力部４６により出力されたコンテンツマーカ情報をユーザ端末２ａ，２ｂへ送信する。これにより、ユーザ端末２ａ，２ｂは、コンテンツマーカ情報を出力する。
【０２４１】
即ち、情報送受信部４１は、ユーザ端末２ａ，２ｂのユーザが正常に視聴できない可能性が高いコンテンツを識別するためのコンテンツ識別情報を含むコンテンツマーカ情報ほど、当該ユーザに選択される可能性を低くするように、当該ユーザ端末２ａ，２ｂにコンテンツマーカ情報を出力させるための情報を送信する、と言うことができる。
【０２４２】
このように構成されたコンテンツ配信システム１であっても、第１実施形態と同様の作用及び効果を奏することができる。
更に、第５実施形態に係るコンテンツ配信システム１によれば、ユーザがコンテンツマーカ情報を選択することにより、当該コンテンツマーカ情報により特定されるコンテンツを視聴することを要求した場合に、当該ユーザが当該コンテンツを視聴することができない事態が発生することを防止することができる。
【０２４３】
なお、第５実施形態において、コンテンツ配信システム１は、ユーザ端末２ａ，２ｂへコンテンツデータを送信することを許可しない旨を表す視聴可否情報（視聴禁止情報）と対応付けられたコンテンツマーカ情報を、ユーザ端末２ａ，２ｂへ送信しないように構成されていた。
【０２４４】
ところで、第５実施形態の変形例において、コンテンツ配信システム１は、ユーザ端末２ａ，２ｂがコンテンツマーカ情報を出力する順序を表す順序情報を、コンテンツマーカ情報とともにユーザ端末２ａ，２ｂへ送信するように構成されていてもよい。この場合、コンテンツ配信システム１は、順序情報として、視聴許可情報と対応付けられたコンテンツマーカ情報を、視聴禁止情報と対応付けられたコンテンツマーカ情報よりも先に出力させるための情報を生成する。
この変形例によっても、第５実施形態と同様の作用及び効果を奏することができる。
【０２４５】
また、第５実施形態の他の変形例において、コンテンツ配信システム１は、視聴可否情報を、コンテンツマーカ情報と対応付けてユーザ端末２ａ，２ｂへ送信するように構成されていてもよい。
【０２４６】
この場合、ユーザ端末２ａ，２ｂは、視聴許可情報と対応付けられたコンテンツマーカ情報を、視聴禁止情報と対応付けられたコンテンツマーカ情報よりも、目立つ態様にて出力する。例えば、ユーザ端末２ａ，２ｂは、視聴許可情報と対応付けられたコンテンツマーカ情報を太字にて出力し、視聴禁止情報と対応付けられたコンテンツマーカ情報を細字にて出力する。
【０２４７】
また、この場合、ユーザ端末２ａ，２ｂは、視聴禁止情報と対応付けられたコンテンツマーカ情報と対応付けて（例えば、近傍に）、コンテンツの視聴が禁止されている旨を表す情報を出力してもよい。
この変形例によっても、第５実施形態と同様の作用及び効果を奏することができる。
【０２４８】
また、第５実施形態においては、コンテンツ配信システム１は、視聴可否情報に基づいて、コンテンツマーカ情報をユーザ端末２ａ，２ｂへ送信するか否かを決定していた。
【０２４９】
ところで、第５実施形態の他の変形例において、コンテンツ配信システム１は、ユーザ端末２ａ，２ｂがコンテンツを出力する能力を表す再生能力情報に基づいて、コンテンツマーカ情報をユーザ端末２ａ，２ｂへ送信するか否かを決定するように構成されていてもよい。例えば、再生能力情報は、ユーザ端末２ａ，２ｂが備えるディスプレイの解像度を表す情報、ユーザ端末２ａ，２ｂが備える中央処理装置の情報処理能力を表す情報、ユーザ端末２ａ，２ｂが出力可能なコンテンツデータの形式を表す情報、又は、ユーザ端末２ａ，２ｂが備える記憶装置の記憶容量を表す情報等である。なお、再生能力情報は、ユーザ識別情報と対応付けてユーザプロファイルサーバ機能部５０に記憶されていることが好適である。
【０２５０】
この場合、コンテンツ配信システム１は、再生能力情報に基づいて、ユーザ端末２ａ，２ｂが正常に出力できないコンテンツを特定し、特定したコンテンツを識別するためのコンテンツ識別情報を含むコンテンツマーカ情報をユーザ端末２ａ，２ｂへ送信しないように構成される。
この変形例によっても、第５実施形態と同様の作用及び効果を奏することができる。
【０２５１】
また、第５実施形態の他の変形例において、コンテンツ配信システム１は、ユーザ端末２ａ，２ｂとメディアサーバ４ｂとの間の通信経路における利用可能な通信帯域幅である可用帯域を表す可用帯域情報に基づいて、コンテンツマーカ情報をユーザ端末２ａ，２ｂへ送信するか否かを決定するように構成されていてもよい。
【０２５２】
この場合、コンテンツ配信システム１は、可用帯域情報をコアＩＭＳ部３０又はトランスポート機能部８０から取得し、取得した可用帯域情報に基づいて、ユーザ端末２ａ，２ｂへ十分に高い（例えば、コンテンツデータのビットレート以上の）通信速度にてコンテンツデータを送信できないコンテンツを特定し、特定したコンテンツを識別するためのコンテンツ識別情報を含むコンテンツマーカ情報をユーザ端末２ａ，２ｂへ送信しないように構成される。
この変形例によっても、第５実施形態と同様の作用及び効果を奏することができる。
【０２５３】
＜第６実施形態＞
次に、本発明の第６実施形態に係るコンテンツ配信システムについて図１５を参照しながら説明する。
第６実施形態に係るコンテンツ配信システム１００は、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付部（コンテンツマーカ情報受付手段）１０１と、
上記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理部（コンテンツマーカ情報記憶処理手段）１０２と、
上記記憶されているコンテンツマーカ情報を共有するユーザを特定するための情報の基本値である全体共有ユーザ特定情報を受け付ける全体共有ユーザ特定情報受付部（全体共有ユーザ特定情報受付手段）１０３と、
ユーザを識別するためのユーザ識別情報を含み且つコンテンツマーカ情報の出力を要求するコンテンツマーカ出力要求を受け付けるコンテンツマーカ出力要求受付部（コンテンツマーカ出力要求受付手段）１０４と、
上記受け付けられたコンテンツマーカ出力要求に含まれるユーザ識別情報と、上記受け付けられた全体共有ユーザ特定情報と、上記記憶されている個別共有ユーザ特定情報と、に基づいて、上記記憶されているコンテンツマーカ情報から当該ユーザ識別情報に応じたコンテンツマーカ情報を抽出し、当該抽出したコンテンツマーカ情報を出力するコンテンツマーカ出力部（コンテンツマーカ出力手段）１０５と、
を備える。
【０２５４】
これによれば、コンテンツマーカ情報毎に、当該コンテンツマーカ情報を共有するユーザを設定することができる。この結果、あるユーザが登録したコンテンツマーカ情報を、コンテンツマーカ情報毎に異なるユーザと共有することができる。更に、全体共有ユーザ特定情報を設定することにより、コンテンツマーカ情報を共有するユーザとして、すべてのコンテンツマーカ情報に共通するユーザを設定することができる。この結果、コンテンツマーカ情報を共有するユーザを設定するユーザの手間を軽減することもできる。
【０２５５】
即ち、コンテンツ配信システム１００によれば、コンテンツマーカ情報を共有するユーザを設定するユーザの手間を軽減しながら、コンテンツマーカ情報毎に異なるユーザとコンテンツマーカ情報を共有することができる。
【０２５６】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０２５７】
例えば、上記各実施形態の変形例において、コンテンツマーカ登録情報が、コンテンツマーカ情報を登録したユーザを識別するための登録ユーザ識別情報を含んでいてもよい。この場合、ユーザ端末２ａ，２ｂは、コンテンツマーカ情報の一覧を表示させる際に、各コンテンツマーカ情報を登録したユーザを識別するための登録ユーザ識別情報も表示させるように構成されていることが好適である。
【０２５８】
また、上記各実施形態の変形例は、サービス制御サーバ４ａ及びメディアサーバ４ｂに代えて、サービス制御サーバ４ａ及びメディアサーバ４ｂの両方の機能を有するサーバを備えていてもよい。
また、上記各実施形態においては、メディアサーバ４ｂがメディア機能部６０のすべてを有していたが、第１のサーバがメディア機能部６０の一部（メディア制御機能部）を有するとともに第２のサーバがメディア機能部６０の残余の部分（メディア配信機能部）を有していてもよい。
【０２５９】
更に、上記各実施形態の変形例において、アプリケーションサーバシステム４がポータルサーバ５を含んでいてもよい。更に、サービス制御サーバ４ａ又はメディアサーバ４ｂがポータルサーバ５の機能を有していてもよい。
また、上記各実施形態の変形例は、メディア機能部６０のうちのメディア配信機能部を有するサーバを複数備えていてもよい。
【０２６０】
また、上記各実施形態の変形例において、接続制御システム３は、複数の接続制御サーバ（接続制御サーバ３ａ，３ｂ等）を含んでいたが、１つの接続制御サーバのみを含んでいてもよい。
【０２６１】
なお、上記各実施形態において、各ユーザ端末２ａ，２ｂは、セットトップボックスであったが、携帯電話装置、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）、ゲーム機、カーナビゲーション装置、又は、パーソナル・コンピュータ等であってもよい。
また、上記各実施形態において、コンテンツは動画であったが、映像のみ又は音声のみであってもよい。
【０２６２】
なお、上記各実施形態におけるコンテンツマーカテーブルは、所定の条件が成立した場合（例えば、予め設定された時間が経過した場合、又は、予め設定された容量を超えた場合）に消去される情報（一時情報（Ａｃｔｉｏｎ  Ｄａｔａ））として記憶されていてもよく、コンテンツ配信システム１の管理者又はユーザの指示によってのみ編集（追加、変更又は消去）される情報（保存情報（Ｕｓｅｒ  Ｐｒｏｆｉｌｅ））として記憶されていてもよい。また、上記各実施形態における全体共有ユーザテーブルも、一時情報として記憶されていてもよく、保存情報として記憶されていてもよい。
【０２６３】
また、上記各実施形態においては、コンテンツ配信システム１の構成要素は、ＩＭＳ（ＩＰ  Ｍｕｌｔｉｍｅｄｉａ  Ｓｕｂｓｙｓｔｅｍ）を構成する構成要素として表現されていたが、ＭＭＳ（Ｍｕｌｔｉｍｅｄｉａ  Ｍｅｓｓａｇｉｎｇ  Ｓｅｒｖｉｃｅ）を構成する構成要素として表現されていてもよい。
【０２６４】
また、コンテンツマーカ情報は、「Ｃｏｎｔｅｎｔ  Ｍａｒｋｅｒ」と呼ばれてもよい。また、コンテンツマーカ情報と、個別共有ユーザ特定情報と、を含む情報が「Ｃｏｎｔｅｎｔ  Ｍａｒｋｅｒ」と呼ばれてもよい。また、コンテンツマーカ情報は、ブックマーク情報と呼ばれてもよい。
【０２６５】
更に、上記コンテンツ配信システム１がＩＰＴＶシステムに適用された場合には、コンテンツマーカ情報は、「ＩＰＴＶ  Ｃｏｎｔｅｎｔ  Ｍａｒｋｅｒ」と呼ばれてもよい。また、上記コンテンツ配信システム１がＶｏＤシステムに適用された場合には、コンテンツマーカ情報は、「Ａｖａｉｌａｂｌｅ  ＣｏＤ」と呼ばれてもよい。加えて、上記コンテンツ配信システム１がＢＣシステムに適用された場合には、コンテンツマーカ情報は、「ＢＣ  Ｂｏｏｋｍａｒｋｓ」と呼ばれてもよい。更に、上記コンテンツ配信システム１がｎＰＶＲシステムに適用された場合には、コンテンツマーカ情報は、「Ｎ−ＰＶＲ  ｉｔｅｍｓ」と呼ばれてもよい。
【０２６６】
なお、上記各実施形態においてコンテンツ配信システム１の各機能は、ＣＰＵがプログラム（ソフトウェア）を実行することにより実現されていたが、回路等のハードウェアにより実現されていてもよい。
【０２６７】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０２６８】
また、上記実施形態の他の変形例として、上述した実施形態及び変形例の任意の組み合わせが採用されてもよい。
【０２６９】
＜付記＞
上記実施形態の一部又は全部は、以下の付記のように記載され得るが、以下には限られない。
【０２７０】
（付記１）
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を備えるコンテンツ配信システム。
【０２７１】
これによれば、コンテンツマーカ情報毎に、当該コンテンツマーカ情報を共有するユーザを設定することができる。この結果、あるユーザが登録したコンテンツマーカ情報を、コンテンツマーカ情報毎に異なるユーザと共有することができる。更に、全体共有ユーザ特定情報を設定することにより、コンテンツマーカ情報を共有するユーザとして、すべてのコンテンツマーカ情報に共通するユーザを設定することができる。この結果、コンテンツマーカ情報を共有するユーザを設定するユーザの手間を軽減することもできる。
【０２７２】
即ち、上記コンテンツ配信システムによれば、コンテンツマーカ情報を共有するユーザを設定するユーザの手間を軽減しながら、コンテンツマーカ情報毎に異なるユーザとコンテンツマーカ情報を共有することができる。
【０２７３】
（付記２）
付記１に記載のコンテンツ配信システムであって、
アプリケーションサーバシステムと接続制御システムとを含み、
前記接続制御システムは、ユーザ端末により送信された端末特定情報を受信し当該受信した端末特定情報に基づいて前記アプリケーションサーバシステムと当該ユーザ端末との間の接続を確立するように構成され、
前記アプリケーションサーバシステムは、前記接続制御システムにより接続が確立された前記ユーザ端末へ、コンテンツを表すコンテンツデータを送信するように構成されたコンテンツ配信システム。
【０２７４】
（付記３）
付記２に記載のコンテンツ配信システムであって、
前記アプリケーションサーバシステムは、前記ユーザ端末により送信され且つ前記コンテンツマーカ情報を含むコンテンツ視聴要求を受信し、当該受信したコンテンツ視聴要求に含まれるコンテンツマーカ情報により識別されるコンテンツを表すコンテンツデータを、当該ユーザ端末へ送信するように構成されたコンテンツ配信システム。
【０２７５】
これによれば、ユーザ端末のユーザは、視聴したいコンテンツを特定するために煩雑な操作を行うことなく、そのコンテンツを視聴することができる。この結果、ユーザの利便性を向上させることができる。
【０２７６】
（付記４）
付記２又は付記３に記載のコンテンツ配信システムであって、
前記接続制御システムは、前記ユーザ端末により送信され且つ当該ユーザ端末のユーザにより入力されたユーザ認証用情報を受信するように構成され、
前記コンテンツ配信システムは、
ユーザ認証用基準情報を予め記憶するユーザ認証用基準情報記憶手段と、
前記接続制御システムにより受信されたユーザ認証用情報と、前記ユーザ認証用基準情報記憶手段により記憶されているユーザ認証用基準情報と、が対応しているか否かを判定することにより、そのユーザ認証用情報を入力した前記ユーザが正当なユーザであるか否かを認証するユーザ認証手段と、を備え、
前記コンテンツマーカ出力要求受付手段は、前記ユーザ認証手段により正当なユーザであると認証されたユーザを識別するためのユーザ識別情報を含む前記コンテンツマーカ出力要求を受け付けるように構成されたコンテンツ配信システム。
【０２７７】
これによれば、コンテンツ配信システムは、正当なユーザであると認証されたユーザを識別するためのユーザ識別情報を含むコンテンツマーカ出力要求を受け付ける。これにより、正当なユーザであると認証されていないユーザによって送信されたコンテンツマーカ出力要求に基づく処理をコンテンツ配信システムが行うことを防止することができる。この結果、不正なユーザによりコンテンツマーカ情報が閲覧されることを防止することができる。
【０２７８】
（付記５）
付記１乃至付記４のいずれか一項に記載のコンテンツ配信システムであって、
前記受け付けられた全体共有ユーザ特定情報と、当該全体共有ユーザ特定情報を送信してきたユーザ端末のユーザを識別するためのユーザ識別情報と、を対応付けて前記記憶装置に記憶させる処理を行う全体共有ユーザ特定情報記憶処理手段を備え、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、を対応付けて前記記憶装置に記憶させるように構成され、
前記コンテンツマーカ出力手段は、前記コンテンツマーカ情報と対応付けて記憶されている個別共有ユーザ特定情報と、当該コンテンツマーカ情報と対応付けて記憶されているユーザ識別情報と対応付けて記憶されている全体共有ユーザ特定情報と、前記受け付けられたコンテンツマーカ出力要求に含まれるユーザ識別情報と、に基づいて、当該コンテンツマーカ情報を当該ユーザ識別情報に応じたコンテンツマーカ情報として抽出するか否かを決定するように構成されたコンテンツ配信システム。
【０２７９】
（付記６）
付記１乃至付記５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報と、コンテンツマーカ情報の共有を禁止するユーザを識別するための共有禁止ユーザ識別情報と、を含み、
前記コンテンツマーカ出力手段は、前記個別共有ユーザ特定情報に含まれる共有許可ユーザ識別情報、及び、前記全体共有ユーザ特定情報に含まれる共有許可ユーザ識別情報、の少なくとも一方が、前記受け付けられたコンテンツマーカ出力要求に含まれるユーザ識別情報を含むという第１の条件と、当該個別共有ユーザ特定情報に含まれる共有禁止ユーザ識別情報が、当該コンテンツマーカ出力要求に含まれるユーザ識別情報を含まないという第２の条件と、の両方が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【０２８０】
（付記７）
付記１乃至付記５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を禁止するユーザを識別するための共有禁止ユーザ識別情報を含み、
前記コンテンツマーカ出力手段は、前記全体共有ユーザ特定情報に含まれる共有許可ユーザ識別情報が、前記受け付けられたコンテンツマーカ出力要求に含まれるユーザ識別情報を含むという第１の条件と、前記個別共有ユーザ特定情報に含まれる共有禁止ユーザ識別情報が、当該コンテンツマーカ出力要求に含まれるユーザ識別情報を含まないという第２の条件と、の両方が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【０２８１】
（付記８）
付記７に記載のコンテンツ配信システムであって、
前記コンテンツマーカ出力手段は、前記受け付けられたコンテンツマーカ出力要求に含まれるユーザ識別情報を共有許可ユーザ識別情報として含む全体共有ユーザ特定情報と対応付けて記憶されているユーザ識別情報を特定し、当該特定したユーザ識別情報と対応付けて記憶されているコンテンツマーカ情報及び個別共有ユーザ特定情報を互いに対応付けて取得し、当該取得された個別共有ユーザ特定情報のそれぞれに対して、当該個別共有ユーザ特定情報に含まれる共有禁止ユーザ識別情報が、当該コンテンツマーカ出力要求に含まれるユーザ識別情報を含むか否かを判定し、当該個別共有ユーザ特定情報に含まれる共有禁止ユーザ識別情報が、当該コンテンツマーカ出力要求に含まれるユーザ識別情報を含むと判定した場合、当該個別共有ユーザ特定情報と、当該個別共有ユーザ特定情報に対応付けられたコンテンツマーカ情報と、を、当該取得されたコンテンツマーカ情報及び個別共有ユーザ特定情報から削除し、当該取得されたコンテンツマーカ情報のうちの、残存しているコンテンツマーカ情報を、当該ユーザ識別情報に応じたコンテンツマーカ情報として抽出するように構成されたコンテンツ配信システム。
【０２８２】
（付記９）
付記１乃至付記５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報を含み、
前記コンテンツマーカ出力手段は、前記個別共有ユーザ特定情報に含まれる共有許可ユーザ識別情報、及び、前記全体共有ユーザ特定情報に含まれる共有許可ユーザ識別情報、の少なくとも一方が、前記受け付けられたコンテンツマーカ出力要求に含まれるユーザ識別情報を含むという条件が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【０２８３】
（付記１０）
付記６に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、コンテンツマーカ情報の共有を許可するユーザを識別するための共有許可ユーザ識別情報と、コンテンツマーカ情報の共有を禁止するユーザを識別するための共有禁止ユーザ識別情報と、を含む個別共有ユーザ更新要求を受け付けるように構成され、
前記コンテンツマーカ情報記憶処理手段は、
前記受け付けられた個別共有ユーザ更新要求に含まれる共有禁止ユーザ識別情報に含まれるユーザ識別情報が、当該個別共有ユーザ更新要求に含まれるコンテンツマーカ識別情報と対応付けて記憶されている個別共有ユーザ特定情報に含まれる共有許可ユーザ識別情報に含まれる場合、当該共有許可ユーザ識別情報から当該ユーザ識別情報を削除し、一方、当該ユーザ識別情報が当該共有許可ユーザ識別情報に含まれない場合、当該個別共有ユーザ特定情報に含まれる共有禁止ユーザ識別情報に当該ユーザ識別情報を追加するように構成され、且つ、
当該受け付けられた個別共有ユーザ更新要求に含まれる共有許可ユーザ識別情報に含まれるユーザ識別情報が、当該個別共有ユーザ更新要求に含まれるコンテンツマーカ識別情報と対応付けて記憶されている個別共有ユーザ特定情報に含まれる共有禁止ユーザ識別情報に含まれる場合、当該共有禁止ユーザ識別情報から当該ユーザ識別情報を削除し、一方、当該ユーザ識別情報が当該共有禁止ユーザ識別情報に含まれない場合、当該個別共有ユーザ特定情報に含まれる共有許可ユーザ識別情報に当該ユーザ識別情報を追加するように構成されたコンテンツ配信システム。
【０２８４】
（付記１１）
付記１乃至付記５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報を含み、
前記コンテンツマーカ出力手段は、前記個別共有ユーザ特定情報に含まれる共有許可ユーザ識別情報が空の情報である場合において、前記全体共有ユーザ特定情報に含まれる共有許可ユーザ識別情報が、前記受け付けられたコンテンツマーカ出力要求に含まれるユーザ識別情報を含むとき、又は、当該個別共有ユーザ特定情報に含まれる共有許可ユーザ識別情報が空の情報でない場合において、当該個別共有ユーザ特定情報に含まれる共有許可ユーザ識別情報が、当該コンテンツマーカ出力要求に含まれるユーザ識別情報を含むとき、当該個別共有ユーザ特定情報と対応付けて記憶されているコンテンツマーカ情報を当該ユーザ識別情報に応じたコンテンツマーカ情報として抽出するように構成されたコンテンツ配信システム。
【０２８５】
（付記１２）
付記１１に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、個別共有ユーザ特定情報と、を含む個別共有ユーザ更新要求を受け付けるように構成され、
前記コンテンツマーカ情報記憶処理手段は、前記受け付けられた個別共有ユーザ更新要求に含まれるコンテンツマーカ識別情報と対応付けて記憶されている個別共有ユーザ特定情報を、当該個別共有ユーザ更新要求に含まれる個別共有ユーザ特定情報に置換するように構成されたコンテンツ配信システム。
【０２８６】
（付記１３）
付記１１に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、コンテンツマーカ情報の共有を許可するユーザを識別するための共有許可ユーザ識別情報と、コンテンツマーカ情報の共有を禁止するユーザを識別するための共有禁止ユーザ識別情報と、を含む個別共有ユーザ更新要求を受け付けるように構成され、
前記コンテンツマーカ情報記憶処理手段は、
前記受け付けられた個別共有ユーザ更新要求に含まれる共有禁止ユーザ識別情報に含まれるユーザ識別情報を、当該個別共有ユーザ更新要求に含まれるコンテンツマーカ識別情報と対応付けて記憶されている個別共有ユーザ特定情報に含まれる共有許可ユーザ識別情報から削除するように構成され、且つ、
当該受け付けられた個別共有ユーザ更新要求に含まれる共有許可ユーザ識別情報に含まれるユーザ識別情報を、当該個別共有ユーザ更新要求に含まれるコンテンツマーカ識別情報と対応付けて記憶されている個別共有ユーザ特定情報に含まれる共有許可ユーザ識別情報に追加するように構成されたコンテンツ配信システム。
【０２８７】
（付記１４）
付記１乃至付記１３のいずれか一項に記載のコンテンツ配信システムであって、
複数のユーザ識別情報と、当該複数のユーザ識別情報により識別される複数のユーザからなるグループを識別するためのグループ識別情報と、を対応付けて記憶するグループ情報記憶手段を備え、
前記コンテンツマーカ情報受付手段は、コンテンツマーカ情報と、当該コンテンツマーカ情報を共有する複数のユーザからなるグループを識別するための個別共有グループ識別情報と、を含むコンテンツマーカ登録要求を受け付けるように構成され、
前記コンテンツマーカ情報記憶処理手段は、前記受け付けられたコンテンツマーカ登録要求に含まれる個別共有グループ識別情報と同一のグループ識別情報と対応付けて記憶されている複数のユーザ識別情報を含む個別共有ユーザ特定情報と、当該コンテンツマーカ登録要求に含まれるコンテンツマーカ情報と、を対応付けて前記記憶装置に記憶させる処理を行うように構成されたコンテンツ配信システム。
【０２８８】
これによれば、コンテンツマーカ情報を共有するユーザとして複数のユーザを設定する場合に、ユーザが入力する情報量を低減することができる。即ち、コンテンツマーカ情報を共有するユーザを設定するユーザの手間を軽減することができる。
【０２８９】
（付記１５）
付記１乃至付記１４のいずれか一項に記載のコンテンツ配信システムであって、
前記コンテンツマーカ情報記憶処理手段は、前記受け付けられたコンテンツマーカ登録要求に含まれる、コンテンツマーカ情報、及び、個別共有ユーザ特定情報と、コンテンツマーカ情報を識別するためのコンテンツマーカ識別情報と、を対応付けて前記記憶装置に記憶させるように構成され、
前記コンテンツマーカ情報記憶処理手段は、
ユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出されたコンテンツマーカ情報を識別するためのコンテンツマーカ識別情報と、当該ユーザ識別情報と、を対応付けて前記記憶装置に記憶させる処理を行うように構成され、
前記コンテンツマーカ出力手段は、前記受け付けられたコンテンツマーカ出力要求に含まれるユーザ識別情報と対応付けて記憶されているコンテンツマーカ識別情報により識別されるコンテンツマーカ情報を、当該ユーザ識別情報に応じたコンテンツマーカ情報として抽出するように構成されたコンテンツ配信システム。
【０２９０】
これによれば、コンテンツ配信システムは、コンテンツマーカ出力要求を受け付けた場合に、予め対応付けて記憶されている、ユーザ識別情報と、コンテンツマーカ識別情報と、に基づいてコンテンツマーカ情報を抽出することができる。従って、上記コンテンツ配信システムによれば、コンテンツマーカ情報を高速に抽出することができる。
【０２９１】
（付記１６）
付記１乃至付記１５のいずれか一項に記載のコンテンツ配信システムであって、
前記コンテンツマーカ出力要求受付手段は、ユーザ端末により送信された前記コンテンツマーカ出力要求を受信することにより受け付けるように構成され、
前記コンテンツマーカ出力手段により出力されたコンテンツマーカ情報を、前記コンテンツマーカ出力要求を送信してきた前記ユーザ端末へ送信するコンテンツマーカ送信手段を備えるコンテンツ配信システム。
【０２９２】
（付記１７）
付記１６に記載のコンテンツ配信システムであって、
前記コンテンツマーカ送信手段は、前記ユーザ端末のユーザが正常に視聴できない可能性が高いコンテンツを識別するためのコンテンツ識別情報を含むコンテンツマーカ情報ほど、当該ユーザに選択される可能性を低くするように、当該ユーザ端末にコンテンツマーカ情報を出力させるための情報を送信するように構成されたコンテンツ配信システム。
【０２９３】
これによれば、ユーザがコンテンツマーカ情報を選択することにより、当該コンテンツマーカ情報により特定されるコンテンツを視聴することを要求した場合に、当該ユーザが当該コンテンツを視聴することができない事態が発生することを防止することができる。
【０２９４】
（付記１８）
アプリケーションサーバシステムと接続制御システムとを含み、
前記接続制御システムは、
ユーザ端末（Ｕｓｅｒ  Ｅｑｕｉｐｍｅｎｔ）により送信された端末特定情報を受信し当該受信した端末特定情報に基づいて前記アプリケーションサーバシステムと当該ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
前記アプリケーションサーバシステムは、
前記接続制御システムにより接続が確立された前記ユーザ端末へ、コンテンツを表すコンテンツデータを送信するメディア機能部（Ｍｅｄｉａ  Ｆｕｎｃｔｉｏｎｓ）と、
前記メディア機能部により提供されるサービスを制御するサービス制御機能部（Ｓｅｒｖｉｃｅ  Ｃｏｎｔｒｏｌ  Ｆｕｎｃｔｉｏｎｓ）と、
前記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備え、
更に、前記アプリケーションサーバシステムは、
前記ユーザ端末により送信された情報であって、コンテンツを識別するためのコンテンツ識別情報を含む情報であるコンテンツマーカ情報と、当該コンテンツマーカ情報を共有するユーザを特定するための個別共有ユーザ特定情報と、を含むコンテンツマーカ登録要求を、前記コアＩＭＳ部を介して受信することにより受け付けるコンテンツマーカ情報受付手段と、
前記受け付けられたコンテンツマーカ登録要求に含まれる、コンテンツマーカ情報と個別共有ユーザ特定情報とを対応付けて、前記ユーザプロファイルサーバ機能部又は前記サービス制御機能部に記憶させる処理を行うコンテンツマーカ情報記憶処理手段と、
前記ユーザ端末により送信された情報であって、前記記憶されているコンテンツマーカ情報を共有するユーザを特定するための情報の基本値としての情報である全体共有ユーザ特定情報を、前記コアＩＭＳ部を介して受信することにより受け付ける全体共有ユーザ特定情報受付手段と、
前記ユーザ端末により送信された情報であって、ユーザを識別するためのユーザ識別情報を含み且つコンテンツマーカ情報の出力を要求する情報であるコンテンツマーカ出力要求を受信することにより受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
前記出力されたコンテンツマーカ情報を、前記コンテンツマーカ出力要求を送信してきた前記ユーザ端末へ送信するコンテンツマーカ送信手段と、
を備えるコンテンツ配信システム。
【０２９５】
（付記１９）
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付け、
前記受け付けられたコンテンツマーカ登録要求に含まれる、コンテンツマーカ情報と個別共有ユーザ特定情報とを対応付けて記憶装置に記憶させる処理を行い、
前記記憶されているコンテンツマーカ情報を共有するユーザを特定するための情報の基本値である全体共有ユーザ特定情報を受け付け、
ユーザを識別するためのユーザ識別情報を含み且つコンテンツマーカ情報の出力を要求するコンテンツマーカ出力要求を受け付け、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力する、コンテンツ配信方法。
【０２９６】
（付記２０）
付記１９に記載のコンテンツ配信方法であって、
接続制御システムが、ユーザ端末により送信された端末特定情報を受信し当該受信した端末特定情報に基づいてアプリケーションサーバシステムと当該ユーザ端末との間の接続を確立し、
前記アプリケーションサーバシステムが、前記接続制御システムにより接続が確立された前記ユーザ端末へ、コンテンツを表すコンテンツデータを送信する、コンテンツ配信方法。
【０２９７】
（付記２１）
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を備えるアプリケーションサーバシステム。
【０２９８】
（付記２２）
付記２１に記載のアプリケーションサーバシステムであって、
接続制御システムにより接続が確立されたユーザ端末へ、コンテンツを表すコンテンツデータを送信するように構成されたアプリケーションサーバシステム。
【０２９９】
（付記２３）
アプリケーションサーバシステムに、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を実現させるためのプログラムを記録した、コンピュータが読み取り可能な記録媒体。
【０３００】
（付記２４）
付記２３に記載の記録媒体であって、
前記プログラムは、
更に、前記アプリケーションサーバシステムに、
接続制御システムにより接続が確立されたユーザ端末へ、コンテンツを表すコンテンツデータを送信させるように構成された記録媒体。
【０３０１】
（付記２５）
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
前記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
前記コンテンツマーカ情報を受信し、当該受信したコンテンツマーカ情報を出力するコンテンツマーカ一覧出力手段と、
を備えるユーザ端末。
【０３０２】
（付記２６）
ユーザ端末に、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
前記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
前記コンテンツマーカ情報を受信し、当該受信したコンテンツマーカ情報を出力するコンテンツマーカ一覧出力手段と、
を実現させるためのプログラムを記録した、コンピュータが読み取り可能な記録媒体。
【０３０３】
なお、本発明は、日本国にて２０１０年１月２６日に出願された特願２０１０−０１３８８９の特許出願に基づく優先権主張の利益を享受するものであり、当該特許出願にて開示された内容のすべてが本明細書に含まれるものとする。
【産業上の利用可能性】
【０３０４】
本発明は、ＩＰ網を介してコンテンツを配信するビデオオンデマンドシステム、及び、ＩＰ網を介してテレビ放送を行うＩＰＴＶシステム等に適用可能である。
【符号の説明】
【０３０５】
１      コンテンツ配信システム
２ａ，２ｂ  ユーザ端末
３      接続制御システム
３ａ，３ｂ  接続制御サーバ
４      アプリケーションサーバシステム
４ａ    サービス制御サーバ
４ｂ    メディアサーバ
５      ポータルサーバ
１１    要求送信部
１１ａ  コンテンツマーカ登録要求送信部
１１ｂ  個別共有ユーザ更新要求送信部
１１ｃ  全体共有ユーザ登録要求送信部
１１ｄ  コンテンツマーカ出力要求送信部
１１ｅ  コンテンツ送信要求送信部
１２    コンテンツマーカ一覧出力部
１３    コンテンツマーカ特定情報受付部
１４    コンテンツ出力部
２０    サービス選択機能部
２１    ポータル画面送信部
３０    コアＩＭＳ部
３１    呼接続制御部
３２    ＩＭＳ認証部
４０    サービス制御機能部
４１    情報送受信部
４２    全体共有ユーザ特定情報処理部
４３    コンテンツマーカ情報処理部
４４    コンテンツマーカ記憶部
４５    コンテンツマーカ出力要求処理部
４６    コンテンツマーカ出力部
４７    配信要求部
４８    グループ記憶部
４９    ユーザ毎コンテンツマーカ記憶部
４９ａ  視聴権限情報記憶部
５０    ユーザプロファイルサーバ機能部
６０    メディア機能部
６１    情報送受信部
６２    コンテンツ配信制御部
６３    コンテンツ記憶部
６４    コンテンツ配信部
８０    トランスポート機能部
８１    帯域確保部
８２    端末認証部
１００  コンテンツ配信システム
１０１  コンテンツマーカ情報受付部
１０２  コンテンツマーカ情報記憶処理部
１０３  全体共有ユーザ特定情報受付部
１０４  コンテンツマーカ出力要求受付部
１０５  コンテンツマーカ出力部
ＮＷ１  ユーザ側通信回線
ＮＷ２  サービス提供者側通信回線
【図１】
2011092786.tif 000003
【図２】
2011092786.tif 000004
【図３】
2011092786.tif 000005
【図４】
2011092786.tif 000006
【図５】
2011092786.tif 000007
【図６】
2011092786.tif 000008
【図７】
2011092786.tif 000009
【図８】
2011092786.tif 000010
【図９】
2011092786.tif 000011
【図１０】
2011092786.tif 000012
【図１１】
2011092786.tif 000013
【図１２】
2011092786.tif 000014
【図１３】
2011092786.tif 000015
【図１４】
2011092786.tif 000016
【図１５】
2011092786.tif 000017
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を備えるコンテンツ配信システム。
【請求項２】
請求項１に記載のコンテンツ配信システムであって、
アプリケーションサーバシステムと接続制御システムとを含み、
前記接続制御システムは、ユーザ端末により送信された端末特定情報を受信し当該受信した端末特定情報に基づいて前記アプリケーションサーバシステムと当該ユーザ端末との間の接続を確立するように構成され、
前記アプリケーションサーバシステムは、前記接続制御システムにより接続が確立された前記ユーザ端末へ、コンテンツを表すコンテンツデータを送信するように構成されたコンテンツ配信システム。
【請求項３】
請求項２に記載のコンテンツ配信システムであって、
前記アプリケーションサーバシステムは、前記ユーザ端末により送信され且つ前記コンテンツマーカ情報を含むコンテンツ視聴要求を受信し、当該受信したコンテンツ視聴要求に含まれるコンテンツマーカ情報により識別されるコンテンツを表すコンテンツデータを、当該ユーザ端末へ送信するように構成されたコンテンツ配信システム。
【請求項４】
請求項２又は請求項３に記載のコンテンツ配信システムであって、
前記接続制御システムは、前記ユーザ端末により送信され且つ当該ユーザ端末のユーザにより入力されたユーザ認証用情報を受信するように構成され、
前記コンテンツ配信システムは、
ユーザ認証用基準情報を予め記憶するユーザ認証用基準情報記憶手段と、
前記接続制御システムにより受信されたユーザ認証用情報と、前記ユーザ認証用基準情報記憶手段により記憶されているユーザ認証用基準情報と、が対応しているか否かを判定することにより、そのユーザ認証用情報を入力した前記ユーザが正当なユーザであるか否かを認証するユーザ認証手段と、を備え、
前記コンテンツマーカ出力要求受付手段は、前記ユーザ認証手段により正当なユーザであると認証されたユーザを識別するためのユーザ識別情報を含む前記コンテンツマーカ出力要求を受け付けるように構成されたコンテンツ配信システム。
【請求項５】
請求項１乃至請求項４のいずれか一項に記載のコンテンツ配信システムであって、
前記受け付けられた全体共有ユーザ特定情報と、当該全体共有ユーザ特定情報を送信してきたユーザ端末のユーザを識別するためのユーザ識別情報と、を対応付けて前記記憶装置に記憶させる処理を行う全体共有ユーザ特定情報記憶処理手段を備え、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、を対応付けて前記記憶装置に記憶させるように構成され、
前記コンテンツマーカ出力手段は、前記コンテンツマーカ情報と対応付けて記憶されている個別共有ユーザ特定情報と、当該コンテンツマーカ情報と対応付けて記憶されているユーザ識別情報と対応付けて記憶されている全体共有ユーザ特定情報と、前記受け付けられたコンテンツマーカ出力要求に含まれるユーザ識別情報と、に基づいて、当該コンテンツマーカ情報を当該ユーザ識別情報に応じたコンテンツマーカ情報として抽出するか否かを決定するように構成されたコンテンツ配信システム。
【請求項６】
請求項１乃至請求項５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報と、コンテンツマーカ情報の共有を禁止するユーザを識別するための共有禁止ユーザ識別情報と、を含み、
前記コンテンツマーカ出力手段は、前記個別共有ユーザ特定情報に含まれる共有許可ユーザ識別情報、及び、前記全体共有ユーザ特定情報に含まれる共有許可ユーザ識別情報、の少なくとも一方が、前記受け付けられたコンテンツマーカ出力要求に含まれるユーザ識別情報を含むという第１の条件と、当該個別共有ユーザ特定情報に含まれる共有禁止ユーザ識別情報が、当該コンテンツマーカ出力要求に含まれるユーザ識別情報を含まないという第２の条件と、の両方が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【請求項７】
請求項１乃至請求項５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を禁止するユーザを識別するための共有禁止ユーザ識別情報を含み、
前記コンテンツマーカ出力手段は、前記全体共有ユーザ特定情報に含まれる共有許可ユーザ識別情報が、前記受け付けられたコンテンツマーカ出力要求に含まれるユーザ識別情報を含むという第１の条件と、前記個別共有ユーザ特定情報に含まれる共有禁止ユーザ識別情報が、当該コンテンツマーカ出力要求に含まれるユーザ識別情報を含まないという第２の条件と、の両方が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【請求項８】
請求項７に記載のコンテンツ配信システムであって、
前記コンテンツマーカ出力手段は、前記受け付けられたコンテンツマーカ出力要求に含まれるユーザ識別情報を共有許可ユーザ識別情報として含む全体共有ユーザ特定情報と対応付けて記憶されているユーザ識別情報を特定し、当該特定したユーザ識別情報と対応付けて記憶されているコンテンツマーカ情報及び個別共有ユーザ特定情報を互いに対応付けて取得し、当該取得された個別共有ユーザ特定情報のそれぞれに対して、当該個別共有ユーザ特定情報に含まれる共有禁止ユーザ識別情報が、当該コンテンツマーカ出力要求に含まれるユーザ識別情報を含むか否かを判定し、当該個別共有ユーザ特定情報に含まれる共有禁止ユーザ識別情報が、当該コンテンツマーカ出力要求に含まれるユーザ識別情報を含むと判定した場合、当該個別共有ユーザ特定情報と、当該個別共有ユーザ特定情報に対応付けられたコンテンツマーカ情報と、を、当該取得されたコンテンツマーカ情報及び個別共有ユーザ特定情報から削除し、当該取得されたコンテンツマーカ情報のうちの、残存しているコンテンツマーカ情報を、当該ユーザ識別情報に応じたコンテンツマーカ情報として抽出するように構成されたコンテンツ配信システム。
【請求項９】
請求項１乃至請求項５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報を含み、
前記コンテンツマーカ出力手段は、前記個別共有ユーザ特定情報に含まれる共有許可ユーザ識別情報、及び、前記全体共有ユーザ特定情報に含まれる共有許可ユーザ識別情報、の少なくとも一方が、前記受け付けられたコンテンツマーカ出力要求に含まれるユーザ識別情報を含むという条件が成立する場合に、当該個別共有ユーザ特定情報と対応付けて記憶されているコンテンツマーカ情報を当該ユーザ識別情報に応じたコンテンツマーカ情報として抽出するように構成されたコンテンツ配信システム。
【請求項１０】
請求項６に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、コンテンツマーカ情報の共有を許可するユーザを識別するための共有許可ユーザ識別情報と、コンテンツマーカ情報の共有を禁止するユーザを識別するための共有禁止ユーザ識別情報と、を含む個別共有ユーザ更新要求を受け付けるように構成され、
前記コンテンツマーカ情報記憶処理手段は、
前記受け付けられた個別共有ユーザ更新要求に含まれる共有禁止ユーザ識別情報に含まれるユーザ識別情報が、当該個別共有ユーザ更新要求に含まれるコンテンツマーカ識別情報と対応付けて記憶されている個別共有ユーザ特定情報に含まれる共有許可ユーザ識別情報に含まれる場合、当該共有許可ユーザ識別情報から当該ユーザ識別情報を削除し、一方、当該ユーザ識別情報が当該共有許可ユーザ識別情報に含まれない場合、当該個別共有ユーザ特定情報に含まれる共有禁止ユーザ識別情報に当該ユーザ識別情報を追加するように構成され、且つ、
当該受け付けられた個別共有ユーザ更新要求に含まれる共有許可ユーザ識別情報に含まれるユーザ識別情報が、当該個別共有ユーザ更新要求に含まれるコンテンツマーカ識別情報と対応付けて記憶されている個別共有ユーザ特定情報に含まれる共有禁止ユーザ識別情報に含まれる場合、当該共有禁止ユーザ識別情報から当該ユーザ識別情報を削除し、一方、当該ユーザ識別情報が当該共有禁止ユーザ識別情報に含まれない場合、当該個別共有ユーザ特定情報に含まれる共有許可ユーザ識別情報に当該ユーザ識別情報を追加するように構成されたコンテンツ配信システム。
【請求項１１】
請求項１乃至請求項５のいずれか一項に記載のコンテンツ配信システムであって、
前記全体共有ユーザ特定情報は、コンテンツマーカ情報の共有を許可するユーザを識別するための共有許可ユーザ識別情報を含み、
前記個別共有ユーザ特定情報は、コンテンツマーカ情報の共有を許可するユーザを識別するための共有許可ユーザ識別情報を含み、
前記コンテンツマーカ出力手段は、前記個別共有ユーザ特定情報に含まれる共有許可ユーザ識別情報が空の情報である場合において、前記全体共有ユーザ特定情報に含まれる共有許可ユーザ識別情報が、前記受け付けられたコンテンツマーカ出力要求に含まれるユーザ識別情報を含むとき、又は、当該個別共有ユーザ特定情報に含まれる共有許可ユーザ識別情報が空の情報でない場合において、当該個別共有ユーザ特定情報に含まれる共有許可ユーザ識別情報が、当該コンテンツマーカ出力要求に含まれるユーザ識別情報を含むとき、当該個別共有ユーザ特定情報と対応付けて記憶されているコンテンツマーカ情報を当該ユーザ識別情報に応じたコンテンツマーカ情報として抽出するように構成されたコンテンツ配信システム。
【請求項１２】
請求項１１に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、個別共有ユーザ特定情報と、を含む個別共有ユーザ更新要求を受け付けるように構成され、
前記コンテンツマーカ情報記憶処理手段は、前記受け付けられた個別共有ユーザ更新要求に含まれるコンテンツマーカ識別情報と対応付けて記憶されている個別共有ユーザ特定情報を、当該個別共有ユーザ更新要求に含まれる個別共有ユーザ特定情報に置換するように構成されたコンテンツ配信システム。
【請求項１３】
請求項１１に記載のコンテンツ配信システムであって、
前記コンテンツマーカ情報記憶処理手段は、前記受け付けられたコンテンツマーカ登録要求に含まれるコンテンツマーカ情報及び個別共有ユーザ特定情報と、当該コンテンツマーカ登録要求を送信してきたユーザ端末のユーザを識別するためのユーザ識別情報と、コンテンツマーカ情報を識別するためのコンテンツマーカ識別情報と、を対応付けて前記記憶装置に記憶させるように構成され、
前記コンテンツマーカ情報受付手段は、コンテンツマーカ識別情報と、コンテンツマーカ情報の共有を許可するユーザを識別するための共有許可ユーザ識別情報と、コンテンツマーカ情報の共有を禁止するユーザを識別するための共有禁止ユーザ識別情報と、を含む個別共有ユーザ更新要求を受け付けるように構成され、
前記コンテンツマーカ情報記憶処理手段は、
前記受け付けられた個別共有ユーザ更新要求に含まれる共有禁止ユーザ識別情報に含まれるユーザ識別情報を、当該個別共有ユーザ更新要求に含まれるコンテンツマーカ識別情報と対応付けて記憶されている個別共有ユーザ特定情報に含まれる共有許可ユーザ識別情報から削除するように構成され、且つ、
当該受け付けられた個別共有ユーザ更新要求に含まれる共有許可ユーザ識別情報に含まれるユーザ識別情報を、当該個別共有ユーザ更新要求に含まれるコンテンツマーカ識別情報と対応付けて記憶されている個別共有ユーザ特定情報に含まれる共有許可ユーザ識別情報に追加するように構成されたコンテンツ配信システム。
【請求項１４】
請求項１乃至請求項１３のいずれか一項に記載のコンテンツ配信システムであって、
複数のユーザ識別情報と、当該複数のユーザ識別情報により識別される複数のユーザからなるグループを識別するためのグループ識別情報と、を対応付けて記憶するグループ情報記憶手段を備え、
前記コンテンツマーカ情報受付手段は、コンテンツマーカ情報と、当該コンテンツマーカ情報を共有する複数のユーザからなるグループを識別するための個別共有グループ識別情報と、を含むコンテンツマーカ登録要求を受け付けるように構成され、
前記コンテンツマーカ情報記憶処理手段は、前記受け付けられたコンテンツマーカ登録要求に含まれる個別共有グループ識別情報と同一のグループ識別情報と対応付けて記憶されている複数のユーザ識別情報を含む個別共有ユーザ特定情報と、当該コンテンツマーカ登録要求に含まれるコンテンツマーカ情報と、を対応付けて前記記憶装置に記憶させる処理を行うように構成されたコンテンツ配信システム。
【請求項１５】
請求項１乃至請求項１４のいずれか一項に記載のコンテンツ配信システムであって、
前記コンテンツマーカ情報記憶処理手段は、前記受け付けられたコンテンツマーカ登録要求に含まれる、コンテンツマーカ情報、及び、個別共有ユーザ特定情報と、コンテンツマーカ情報を識別するためのコンテンツマーカ識別情報と、を対応付けて前記記憶装置に記憶させるように構成され、
前記コンテンツマーカ情報記憶処理手段は、
ユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出されたコンテンツマーカ情報を識別するためのコンテンツマーカ識別情報と、当該ユーザ識別情報と、を対応付けて前記記憶装置に記憶させる処理を行うように構成され、
前記コンテンツマーカ出力手段は、前記受け付けられたコンテンツマーカ出力要求に含まれるユーザ識別情報と対応付けて記憶されているコンテンツマーカ識別情報により識別されるコンテンツマーカ情報を、当該ユーザ識別情報に応じたコンテンツマーカ情報として抽出するように構成されたコンテンツ配信システム。
【請求項１６】
請求項１乃至請求項１５のいずれか一項に記載のコンテンツ配信システムであって、
前記コンテンツマーカ出力要求受付手段は、ユーザ端末により送信された前記コンテンツマーカ出力要求を受信することにより受け付けるように構成され、
前記コンテンツマーカ出力手段により出力されたコンテンツマーカ情報を、前記コンテンツマーカ出力要求を送信してきた前記ユーザ端末へ送信するコンテンツマーカ送信手段を備えるコンテンツ配信システム。
【請求項１７】
請求項１６に記載のコンテンツ配信システムであって、
前記コンテンツマーカ送信手段は、前記ユーザ端末のユーザが正常に視聴できない可能性が高いコンテンツを識別するためのコンテンツ識別情報を含むコンテンツマーカ情報ほど、当該ユーザに選択される可能性を低くするように、当該ユーザ端末にコンテンツマーカ情報を出力させるための情報を送信するように構成されたコンテンツ配信システム。
【請求項１８】
アプリケーションサーバシステムと接続制御システムとを含み、
前記接続制御システムは、
ユーザ端末（Ｕｓｅｒ  Ｅｑｕｉｐｍｅｎｔ）により送信された端末特定情報を受信し当該受信した端末特定情報に基づいて前記アプリケーションサーバシステムと当該ユーザ端末との間の接続を確立するコアＩＭＳ部（Ｃｏｒｅ  ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ））を備え、
前記アプリケーションサーバシステムは、
前記接続制御システムにより接続が確立された前記ユーザ端末へ、コンテンツを表すコンテンツデータを送信するメディア機能部（Ｍｅｄｉａ  Ｆｕｎｃｔｉｏｎｓ）と、
前記メディア機能部により提供されるサービスを制御するサービス制御機能部（Ｓｅｒｖｉｃｅ  Ｃｏｎｔｒｏｌ  Ｆｕｎｃｔｉｏｎｓ）と、
前記ユーザ端末のユーザのプロファイル情報を記憶するユーザプロファイルサーバ機能部（Ｕｓｅｒ  Ｐｒｏｆｉｌｅ  Ｓｅｒｖｅｒ  Ｆｕｎｃｔｉｏｎｓ）と、を備え、
更に、前記アプリケーションサーバシステムは、
前記ユーザ端末により送信された情報であって、コンテンツを識別するためのコンテンツ識別情報を含む情報であるコンテンツマーカ情報と、当該コンテンツマーカ情報を共有するユーザを特定するための個別共有ユーザ特定情報と、を含むコンテンツマーカ登録要求を、前記コアＩＭＳ部を介して受信することにより受け付けるコンテンツマーカ情報受付手段と、
前記受け付けられたコンテンツマーカ登録要求に含まれる、コンテンツマーカ情報と個別共有ユーザ特定情報とを対応付けて、前記ユーザプロファイルサーバ機能部又は前記サービス制御機能部に記憶させる処理を行うコンテンツマーカ情報記憶処理手段と、
前記ユーザ端末により送信された情報であって、前記記憶されているコンテンツマーカ情報を共有するユーザを特定するための情報の基本値としての情報である全体共有ユーザ特定情報を、前記コアＩＭＳ部を介して受信することにより受け付ける全体共有ユーザ特定情報受付手段と、
前記ユーザ端末により送信された情報であって、ユーザを識別するためのユーザ識別情報を含み且つコンテンツマーカ情報の出力を要求する情報であるコンテンツマーカ出力要求を受信することにより受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
前記出力されたコンテンツマーカ情報を、前記コンテンツマーカ出力要求を送信してきた前記ユーザ端末へ送信するコンテンツマーカ送信手段と、
を備えるコンテンツ配信システム。
【請求項１９】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付け、
前記受け付けられたコンテンツマーカ登録要求に含まれる、コンテンツマーカ情報と個別共有ユーザ特定情報とを対応付けて記憶装置に記憶させる処理を行い、
前記記憶されているコンテンツマーカ情報を共有するユーザを特定するための情報の基本値である全体共有ユーザ特定情報を受け付け、
ユーザを識別するためのユーザ識別情報を含み且つコンテンツマーカ情報の出力を要求するコンテンツマーカ出力要求を受け付け、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力する、コンテンツ配信方法。
【請求項２０】
請求項１９に記載のコンテンツ配信方法であって、
接続制御システムが、ユーザ端末により送信された端末特定情報を受信し当該受信した端末特定情報に基づいてアプリケーションサーバシステムと当該ユーザ端末との間の接続を確立し、
前記アプリケーションサーバシステムが、前記接続制御システムにより接続が確立された前記ユーザ端末へ、コンテンツを表すコンテンツデータを送信する、コンテンツ配信方法。
【請求項２１】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を備えるアプリケーションサーバシステム。
【請求項２２】
請求項２１に記載のアプリケーションサーバシステムであって、
接続制御システムにより接続が確立されたユーザ端末へ、コンテンツを表すコンテンツデータを送信するように構成されたアプリケーションサーバシステム。
【請求項２３】
アプリケーションサーバシステムに、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を受け付けるコンテンツマーカ情報受付手段と、
前記受け付けられたコンテンツマーカ登録要求に含まれる、コンテンツマーカ情報と個別共有ユーザ特定情報とを対応付けて記憶装置に記憶させる処理を行うコンテンツマーカ情報記憶処理手段と、
前記記憶されているコンテンツマーカ情報を共有するユーザを特定するための情報の基本値である全体共有ユーザ特定情報を受け付ける全体共有ユーザ特定情報受付手段と、
ユーザを識別するためのユーザ識別情報を含み且つコンテンツマーカ情報の出力を要求するコンテンツマーカ出力要求を受け付けるコンテンツマーカ出力要求受付手段と、
前記受け付けられたコンテンツマーカ出力要求に含まれるユーザ識別情報と、前記受け付けられた全体共有ユーザ特定情報と、前記記憶されている個別共有ユーザ特定情報と、に基づいて、前記記憶されているコンテンツマーカ情報から当該ユーザ識別情報に応じたコンテンツマーカ情報を抽出し、当該抽出したコンテンツマーカ情報を出力するコンテンツマーカ出力手段と、
を実現させるためのプログラム。
【請求項２４】
請求項２３に記載のプログラムであって、
更に、前記アプリケーションサーバシステムに、
接続制御システムにより接続が確立されたユーザ端末へ、コンテンツを表すコンテンツデータを送信させるためのプログラム。
【請求項２５】
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
前記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
前記コンテンツマーカ情報を受信し、当該受信したコンテンツマーカ情報を出力するコンテンツマーカ一覧出力手段と、
を備えるユーザ端末。
【請求項２６】
ユーザ端末に、
コンテンツを識別するためのコンテンツ識別情報を含むコンテンツマーカ情報と、当該コンテンツマーカ情報を共有するユーザを特定するための個別共有ユーザ特定情報と、を含むコンテンツマーカ登録要求を送信するコンテンツマーカ情報送信手段と、
前記コンテンツマーカ情報を共有するユーザを特定するための情報の基本値である全体共有ユーザ特定情報を送信する全体共有ユーザ特定情報送信手段と、
ユーザを識別するためのユーザ識別情報を含み且つコンテンツマーカ情報の出力を要求するコンテンツマーカ出力要求を送信するコンテンツマーカ出力要求送信手段と、
前記コンテンツマーカ情報を受信し、当該受信したコンテンツマーカ情報を出力するコンテンツマーカ一覧出力手段と、
を実現させるためのプログラム。
【国際調査報告】
2011092786.tif 000018
2011092786.tif 000019
2011092786.tif 000020
2011092786.tif 000021